(57)【要約】  本指圧器具１は、心棒２と、心棒に取り付けられる長尺状の一対の弾性体３と、を備え、弾性体は、心棒の軸方向に交差して配され且つ心棒の外面に沿って曲げられて心棒に取り付けられている。そして、上記弾性体は、心棒の上面側に配される第１押圧部１１を備え、第１押圧部の裏面側には、第１押圧部の延設方向Ｄ１に対して傾斜し且つ心棒の外面に接する第１テーパ面２１が形成されている。
2015076011.tif 000002
【特許請求の範囲】
【請求項１】
心棒と、該心棒に取り付けられる長尺状の一対の弾性体と、を備え、該弾性体は、該心棒の軸方向に交差して配され且つ該心棒の外面に沿って曲げられて該心棒に取り付けられている指圧器具であって、
前記弾性体は、前記心棒の上面側に配される第１押圧部を備え、
前記第１押圧部の裏面側には、該第１押圧部の延設方向に対して傾斜し且つ前記心棒の外面に接する第１テーパ面が形成されていることを特徴とする指圧器具。
【請求項２】
前記弾性体は、該弾性体の長尺方向の一端側の近傍に配される第２押圧部を備え、該第２押圧部の縦断面における表面縁は略曲線状である請求項１記載の指圧器具。
【請求項３】
前記弾性体は、前記第１押圧部と前記第２押圧部との間に配される第３押圧部を備え、該第３押圧部の縦断面における表面縁は略直線状である請求項２記載の指圧器具。
【請求項４】
前記弾性体は、前記心棒の外面を直立状態で支持する支持部を備え、前記支持部の裏面側には、該支持部の延設方向に対して傾斜し且つ前記心棒の外面に接する第２テーパ面が形成されている請求項１乃至３のいずれか一項に記載の指圧器具。
【請求項５】
前記弾性体は、前記第１押圧部と前記支持部との間で前記心棒の上面側に配される第４押圧部を備え、該第４押圧部の厚さは２〜５ｍｍである請求項４記載の指圧器具。
【請求項６】
前記第１押圧部の裏面側には、該第１押圧部の延設方向に延びるリブが設けられ、該リブの下面により前記第１テーパ面が形成されている請求項１乃至５のいずれか一項に記載の指圧器具。
【請求項７】
前記第１テーパ面は、前記弾性体の下面側に形成された上面側に向かって凹む凹部に配されている請求項１乃至６のいずれか一項に記載の指圧器具。
【請求項８】
人体の頭部及び／又は肩部を押圧するための請求項１乃至７のいずれか一項に記載の第１指圧器具と、
人体の前記第１指圧器具が押圧する部分と異なる部分を押圧するための他の指圧器具と、を備え、
前記他の指圧器具は、心棒と、該心棒に取り付けられる長尺状の一対の弾性体と、を備え、該弾性体は、該心棒の軸方向に交差して配され且つ該心棒の外面に沿って曲げられて該心棒に取り付けられており、該弾性体の上面は、横断面で上向きに凸となる凸曲面に形成されていることを特徴とする指圧器具セット。
【請求項９】
前記他の指圧器具は、人体の背筋部を押圧するための第２指圧器具を備える請求項８記載の指圧器具セット。
【請求項１０】
前記他の指圧器具は、人体の腰部及び／又は臀部を押圧するための第３指圧器具を備える請求項８又は９記載の指圧器具セット。
【請求項１１】
前記第３指圧器具は、左右の横指圧器具を備え、該横指圧器具は、該横指圧器具の前記心棒の軸心が前記第１指圧器具の前記心棒の軸心に対して傾斜するように配される請求項１０記載の指圧器具セット。
【請求項１２】
前記第３指圧器具は、中央指圧器具を備え、該中央指圧器具は、該中央指圧器具の前記心棒の軸心が前記第１指圧器具の前記心棒の軸心に対して平行となるように配される請求項１１記載の指圧器具セット。
【請求項１３】
前記他の指圧器具は、人体の脚部のふくらはぎ部を押圧するための第４指圧器具と、人体の脚部のアキレス腱部を押圧するための第５指圧器具と、を備える請求項８乃至１２のいずれか一項に記載の指圧器具セット。
【請求項１４】
前記他の指圧器具は、人体の左腕部を押圧するための第６指圧器具と、人体の右腕部を押圧するための第７指圧器具と、を備える請求項８乃至１３のいずれか一項に記載の指圧器具セット。
【請求項１５】
前記他の指圧器具は、人体の肩部を押圧するための左右の肩用指圧器具を備え、該肩用指圧器具は、該肩用指圧器具の前記心棒の軸心が前記第１指圧器具の前記心棒の軸心に対して傾斜するように配される請求項８乃至１４のいずれか一項に記載の指圧器具セット。
【請求項１６】
請求項８乃至１５のいずれか一項に記載の指圧器具セットの配置方法であって、
前記第１指圧器具を人体の頭部及び／又は肩部が乗るように設置面の第１所定位置に配置し、
前記他の指圧器具を人体の前記第１指圧器具が押圧する部分と異なる部分が乗るように前記設置面の他の所定位置に配置することを特徴とする指圧器具セットの配置方法。
【発明の詳細な説明】
【技術分野】
【０００１】
本発明は、指圧器具、これを備える指圧器具セット及びその配置方法に関し、さらに詳しくは、乳様突起の近傍の局部を的確にとらえて押圧することができる指圧器具、これを備える指圧器具セット及びその配置方法に関する。
【背景技術】
【０００２】
従来一般に、肩コリの療法として、指圧師による指圧療法が広く行われている。この指圧療法は、指圧師が患者の人体の局部に指を当て、体重をのせかけてこれを押圧する療法である。この指圧療法においては、肩甲骨と脊椎との間の肩甲間部や肩上面の肩甲骨の上に当たる部分の肩甲上部、更に首筋に沿っての指圧が効果的であるとされている。しかしながら、肩が凝ったときにいつも或いは直ぐに指圧師による指圧療法を受けることは通常難しい。【０００３】
そこで、自分自身で指圧療法を行うことができる各種の指圧器具が提案されている（例えば、特許文献１参照）。特許文献１には、例えば、図５６に示すように、心棒１０２と、この心棒１０２の軸方向に交差して配され且つ心棒１０２の外面に沿って曲げられて心棒１０２に取り付けられる一対の長尺状の弾性体１０３と、を備える指圧器具１０１が開示されている。また、上記特許文献１には、図５７に示すように、頭部を柔らかく押圧するために弾性体１０３の裏面側に凹部１０７を形成することが開示されている。この特許文献１の指圧器具１０１によると、弾性体１０３の表面側に頭部や肩部をのせると、その重力により弾性体１０３が弾性変形すること及び弾性体１０３自身が柔らかいことで、筋肉が解されたり血行がよくされたりして指圧効果と同様の効果が得られる。【０００４】
なお、図５４は、非特許文献１（Ｐ２３、Ｐ７２参照）において開示された指圧部位としての肩甲間部、後頸部（首筋の後部）、肩甲下部及び腰部等を効果的な圧点（いわゆる「つぼ」）とともに示している。更に圧点として肩甲上部も示している。図５４において、２００は肩甲骨を、２０２は肩甲骨と脊柱との間の肩甲間部を、２０２ａは肩甲間部における圧点を示している。また、２０４は後頸部を、２０４ａは後頸部における圧点を示している。さらに、２０６は圧点としての、肩上部の肩甲骨上部の位置の肩甲上部を示している。また、３０２は肩甲下部を、３０２ａは肩甲下部における圧点を示している。また、３０３は腰部を、３０３ａは腰部における圧点を示している。さらに、３０４は浪越圧点を示している。また、３０５は腸骨稜上部を、３０５ａは腸骨稜上部における圧点を示している。また、３０６は臀部を、３０６ａは臀部における圧点を示している。さらに、３０７は仙骨部を、３０７ａは仙骨部における圧点を示している。また、図５５（ａ）は、同非特許文献（Ｐ４８、Ｐ２２参照）に開示された指圧部位としての側頸部を、効果的な圧点とともに示している。２０８は側頸部を、２０８ａは側頸部における圧点を示している。尚、２１０は乳様突起を示している。さらに、図５５（ｂ）は、同非特許文献（Ｐ３８参照）に開示された指圧部位としての下腿外側部を、効果的な圧点とともに示している。３０９は下腿外側部を、３０９ａは下腿外側部における圧点を示している。
【先行技術文献】
【特許文献】
【０００５】
【特許文献１】国際公開第２０１２／０３６１３６号公報
【非特許文献】
【０００６】
【非特許文献１】「健康のいずみ指圧教室」、浪越徹、昭和５４年発行、Ｐ２２、Ｐ２３、Ｐ４８、Ｐ７２
【非特許文献２】「首の後を押すだけ！神経の流れをよくして万病を治す！！」、石倉笑、藤澤英一、２０１２年１月１６日発行、Ｐ１２−Ｐ１４、Ｐ２９
【非特許文献３】「ツボを正しく押せる本」、脇谷典利、２０１２年５月２２日発行、Ｐ５０、Ｐ８１、Ｐ９９
【発明の概要】
【発明が解決しようとする課題】
【０００７】
ここで、非特許文献２（Ｐ１２−Ｐ１４参照）には、頭部の乳様突起２１０の近傍の局部Ｐ（具体的には、乳様突起２１０の先端から１ｍｍ下方、１ｍｍ前方の部分Ｐ；図５５（ｃ）参照）を指圧することで、肩コリを効果的に除去ないし緩和することができることが開示されている。これは、乳様突起２１０の近傍の局部Ｐは、神経の流れの最上部に位置しており、この局部Ｐを指圧することで神経の流れが一気に活性化するためであると考えられている。なお、上記乳様突起２１０の近傍の局部Ｐを押圧することで、瞬時に精神が安定して、頭の中がスーッと楽になり、不快な肩コリが抜けるように感じる（そして、眠気が出てくる）。【０００８】
しかしながら、上記特許文献１の指圧器具１０１では、弾性体１０３は、心棒１０２の上面側に配される押圧部１０３ａ（図５６及び図５７参照）が延設方向に沿って一様の厚さを有して形成されているので、通常接する部分から引っ込んだ所にある乳様突起の近傍の局部を的確にとらえることが困難であった。【０００９】
また、上記特許文献１の指圧器具１０１では、弾性体１０３は、長尺方向の一端側の近傍に配される押圧部１０３ｂ（図５６及び図５７参照）を備え、この押圧部１０３ｂの縦断面における表面縁は略直線状である。そのため、人体の曲面部を直線状の押圧部で押圧することとなるため、例えば、肩甲間部の特定部位しか押圧できなかった。さらに、肩甲上部を効果的に押圧することは不可能であった。【００１０】
ここで、肩コリの発生メカニズムとして以下のことが知られている。人体の腰部の疲れやコリを放置すると、次は背筋部のコリが生じる。その背筋部のコリを放置すると、次は肩部のコリが生じる。その肩部のコリを放置すると、最終的に首部のコリに発展する。要するに、コリは、腰部を起点として、人体の上部に上がってくる。したがって、人体の頭部及び肩部に加えて、それら以外の部分のコリを取ることで、肩コリをより確実に除去又は緩和できる。よって、これを可能とする指圧器具セットの出現が求められている。【００１１】
本発明は、上記現状に鑑みてなされたものであり、乳様突起の近傍の局部を的確にとらえて押圧することができる指圧器具を提供することを目的とする。また、本発明は、上記目的に加えて、曲面状の肩部を効果的に押圧することができる指圧器具を提供することを他の目的とする。さらに、本発明は、肩コリをより確実に除去又は緩和することができる指圧器具セット及びその配置方法を提供することを他の目的とする。
【課題を解決するための手段】
【００１２】
上記問題を解決するために、請求項１に記載の発明は、心棒と、該心棒に取り付けられる長尺状の一対の弾性体と、を備え、該弾性体は、該心棒の軸方向に交差して配され且つ該心棒の外面に沿って曲げられて該心棒に取り付けられている指圧器具であって、前記弾性体は、前記心棒の上面側に配される第１押圧部を備え、前記第１押圧部の裏面側には、該第１押圧部の延設方向に対して傾斜し且つ前記心棒の外面に接する第１テーパ面が形成されていることを要旨とする。
請求項２に記載の発明は、請求項１記載において、前記弾性体は、該弾性体の長尺方向の一端側の近傍に配される第２押圧部を備え、該第２押圧部の縦断面における表面縁は略曲線状であることを要旨とする。
請求項３に記載の発明は、請求項２記載において、前記弾性体は、前記第１押圧部と前記第２押圧部との間に配される第３押圧部を備え、該第３押圧部の縦断面における表面縁は略直線状であることを要旨とする。
請求項４に記載の発明は、請求項１乃至３のいずれか一項に記載において、前記弾性体は、前記心棒の外面を直立状態で支持する支持部を備え、前記支持部の裏面側には、該支持部の延設方向に対して傾斜し且つ前記心棒の外面に接する第２テーパ面が形成されていることを要旨とする。
請求項５に記載の発明は、請求項４記載において、前記弾性体は、前記第１押圧部と前記支持部との間で前記心棒の上面側に配される第４押圧部を備え、該第４押圧部の厚さは２〜５ｍｍであることを要旨とする。
請求項６に記載の発明は、請求項１乃至５のいずれか一項に記載において、前記第１押圧部の裏面側には、該第１押圧部の延設方向に延びるリブが設けられ、該リブの下面により前記第１テーパ面が形成されていることを要旨とする。
請求項７に記載の発明は、請求項１乃至６のいずれか一項に記載において、前記第１テーパ面は、前記弾性体の下面側に形成された上面側に向かって凹む凹部に配されていることを要旨とする。
上記問題を解決するために、請求項８に記載の発明は、人体の頭部及び／又は肩部を押圧するための請求項１乃至７のいずれか一項に記載の第１指圧器具と、人体の前記第１指圧器具が押圧する部分と異なる部分を押圧するための他の指圧器具と、を備え、前記他の指圧器具は、心棒と、該心棒に取り付けられる長尺状の一対の弾性体と、を備え、該弾性体は、該心棒の軸方向に交差して配され且つ該心棒の外面に沿って曲げられて該心棒に取り付けられており、該弾性体の上面は、横断面で上向きに凸となる凸曲面に形成されていることを要旨とする。
請求項９に記載の発明は、請求項８記載において、前記他の指圧器具は、人体の背筋部を押圧するための第２指圧器具を備えることを要旨とする。
請求項１０に記載の発明は、請求項８又は９記載において、前記他の指圧器具は、人体の腰部及び／又は臀部を押圧するための第３指圧器具を備えることを要旨とする。
請求項１１に記載の発明は、請求項１０記載において、前記第３指圧器具は、左右の横指圧器具を備え、該横指圧器具は、該横指圧器具の前記心棒の軸心が前記第１指圧器具の前記心棒の軸心に対して傾斜するように配されることを要旨とする。
請求項１２に記載の発明は、請求項１１記載において、前記第３指圧器具は、中央指圧器具を備え、該中央指圧器具は、該中央指圧器具の前記心棒の軸心が前記第１指圧器具の前記心棒の軸心に対して平行となるように配されることを要旨とする。
請求項１３に記載の発明は、請求項８乃至１２のいずれか一項に記載において、前記他の指圧器具は、人体の脚部のふくらはぎ部を押圧するための第４指圧器具と、人体の脚部のアキレス腱部を押圧するための第５指圧器具と、を備えることを要旨とする。
請求項１４に記載の発明は、請求項８乃至１３のいずれか一項に記載において、前記他の指圧器具は、人体の左腕部を押圧するための第６指圧器具と、人体の右腕部を押圧するための第７指圧器具と、を備えることを要旨とする。
請求項１５に記載の発明は、請求項８乃至１４のいずれか一項に記載において、前記他の指圧器具は、人体の肩部を押圧するための左右の肩用指圧器具を備え、該肩用指圧器具は、該肩用指圧器具の前記心棒の軸心が前記第１指圧器具の前記心棒の軸心に対して傾斜するように配されることを要旨とする。
上記問題を解決するために、請求項１６に記載の発明は、請求項８乃至１５のいずれか一項に記載の指圧器具セットの配置方法であって、前記第１指圧器具を人体の頭部及び／又は肩部が乗るように設置面の第１所定位置に配置し、前記他の指圧器具を前記第１指圧器具が押圧する部分と異なる部分が乗るように前記設置面の他の所定位置に配置することを要旨とする。
【発明の効果】
【００１３】
本発明の指圧器具によると、心棒と、心棒に取り付けられる長尺状の一対の弾性体と、を備え、弾性体は、心棒の軸方向に交差して配され且つ心棒の外面に沿って曲げられて心棒に取り付けられている。そして、上記弾性体は、心棒の上面側に配される第１押圧部を備え、第１押圧部の裏面側には、第１押圧部の延設方向に対して傾斜し且つ心棒の外面に接する第１テーパ面が形成されている。これにより、弾性体の表面側に頭部や肩部をのせると、その重力により弾性体が弾性変形すること及び弾性体自身が柔らかいことで、筋肉が解されたり血行がよくされたりして指圧効果と同様の効果が得られる。また、第１押圧部の裏面側の第１テーパ面が心棒の外面に接することで、第１押圧部の表面側に凸状曲面部が形成される。そのため、弾性体の表面側に頭部や肩部をのせたときに、第１押圧部で乳様突起の近傍の局部を的確にとらえて適切な押圧力で押圧することができる。その結果、肩コリを除去又は緩和することができる。
また、前記弾性体が、該弾性体の長尺方向の一端側の近傍に配される第２押圧部を備え、該第２押圧部の縦断面における表面縁が略曲線状である場合は、第２押圧部の表面側に曲面状の肩部（例えば、肩甲間部、肩甲上部等）をのせたときに、肩部に対して第２押圧部が点で当ることで強く押圧できる。よって、肩甲上部から肩甲間部までの曲面部の全ての部分をまんべんなく押圧することができる。
また、前記弾性体が、前記第１押圧部と前記第２押圧部との間に配される第３押圧部を備え、該第３押圧部の縦断面における表面縁が略直線状である場合は、第３押圧部の表面側に肩部（例えば、肩甲間部等）をのせたときに、肩部に対して第３押圧部が線で当ることで柔らかく押圧できる。
また、前記弾性体が、前記心棒の外面を直立状態で支持する支持部を備え、前記支持部の裏面側に、該支持部の延設方向に対して傾斜し且つ前記心棒の外面に接触する第２テーパ面が形成されている場合は、弾性体の表面側に頭部や肩部をのせたときに、支持部が弾性変形すること及び心棒が第２テーパ面をすべることで、第１押圧部で乳様突起の近傍の局部を更に的確にとらえて更に適切な押圧力で押圧できる。さらに、第２テーパ面により支持部の強度が高められる。
また、前記弾性体が、前記第１押圧部と前記支持部との間で前記心棒の上面側に配される第４押圧部を備え、該第４押圧部の厚さが２〜５ｍｍである場合は、第４押圧部の表面側に頭部をのせたときに、肉厚が薄い第４押圧部により頭部を柔らかく押圧できる。
さらに、前記第１押圧部の裏面側に、該第１押圧部の延設方向に延びるリブが設けられ、該リブの下面により前記第１テーパ面が形成されている場合は、第１押圧部で乳様突起の近傍の局部を更に的確にとらえて更に適切な押圧力で押圧できる。
さらに、前記第１テーパ面が、前記弾性体の下面側に形成された上面側に向かって凹む凹部に配されている場合は、第１テーパ面を容易に形成することができる。【００１４】
本発明の指圧器具セットによると、人体の頭部及び／又は肩部を押圧するための上述の第１指圧器具と、人体の第１指圧器具が押圧する部分と異なる部分を押圧するための他の指圧器具と、を備える。そして、他の指圧器具は、心棒と、心棒に取り付けられる長尺状の一対の弾性体と、を備え、弾性体は、心棒の軸方向に交差して配され且つ心棒の外面に沿って曲げられて心棒に取り付けられており、弾性体の上面は、横断面で上向きに凸となる凸曲面に形成されている。これにより、第１指圧器具の弾性体により人体の頭部及び／又は肩部が押圧され、他の指圧器具の弾性体により人体の第１指圧器具が押圧する部分と異なる部分が押圧される。特に、他の指圧器具の弾性体の凸曲面により人体の圧点が効果的に押圧される。その結果、第１指圧器具による人体の頭部及び／又は肩部に加えて、他の指圧器具により、第１指圧器具が押圧する以外の部分の疲れやコリが取られ、肩コリをより確実に除去又は緩和することができる。
また、前記他の指圧器具が、人体の背筋部を押圧するための第２指圧器具を備える場合は、第２指圧器具の弾性体により人体の背筋部（例えば、肩甲下部３０２の１点目の圧点；「胆兪（カンユ）のツボ」とも称される。；図２９参照；上記非特許文献３のＰ８１参照）が押圧される。その結果、人体の頭部及び／又は肩部等に加えて、背筋部の疲れやコリが取られる。このように背筋部のコリを取ることで、内臓が活性化されて便意が出て便秘予防となるとともに、姿勢の悪化（すなわち、背中の曲り、猫背）を防止することができる。
また、前記他の指圧器具が、人体の腰部及び／又は臀部を押圧するための第３指圧器具を備える場合は、第３指圧器具の弾性体により人体の腰部及び／又は臀部（例えば、浪越圧点；図２９参照）が押圧される。その結果、人体の頭部及び／又は肩部等に加えて、腰部及び／又は臀部の疲れやコリが取られる。このように腰部のコリを取ることで、腰痛や姿勢の悪化（すなわち、腰の曲り）を防止することができる。
また、前記第３指圧器具が、左右の横指圧器具を備え、該横指圧器具が、該横指圧器具の前記心棒の軸心が前記第１指圧器具の前記心棒の軸心に対して傾斜するように配される場合は、左右の横指圧器具により人体の腰部及び／又は臀部（特に、腎兪、志室のツボを含む腰部や仙骨部、浪越圧点３０４を含む腰部）が押圧される。よって、腰痛や姿勢の悪化（すなわち、腰の曲り）をより確実に防止できる。また、これら第１指圧器具及び左右の横指圧器具の組み合わせを、安眠・熟睡用として長時間使用することができる。
また、前記第３指圧器具が、中央指圧器具を備え、該中央指圧器具が、該中央指圧器具の前記心棒の軸心が前記第１指圧器具の前記心棒の軸心に対して平行となるように配される場合は、中央指圧器具により腰部及び／又は臀部のズレが防止される。よって、安定的に、左右の横指圧器具及び中央指圧器具で腰部及び／又は臀部の疲れやコリを取ることができる。
また、前記他の指圧器具が、人体の脚部のふくらはぎ部を押圧するための第４指圧器具と、人体の脚部のアキレス腱部を押圧するための第５指圧器具と、を備える場合は、第４指圧器具の弾性体により人体の脚部のふくらはぎ部（例えば、下腿外側部３０９の１点目の圧点；「足の三里（サンリ）のツボ」とも称される。図５５（ｂ）参照；上記非特許文献３のＰ５０、Ｐ９９参照）が押圧され、第５指圧器具の弾性体により人体のアキレス腱部（例えば、下側後側部３０８の７点目及び８点目；図２９参照）が押圧される。その結果、人体の頭部及び／又は肩部等に加えて、脚部の疲れやコリが取られる。
さらに、前記他の指圧器具が、人体の左腕部を押圧するための第６指圧器具と、人体の右腕部を押圧するための第７指圧器具と、を備える場合は、第６指圧器具の弾性体により人体の左腕部（特に、前腕部及び手首部）が押圧され、第７指圧器具の弾性体により人体の右腕部（特に、前腕部及び手首部）が押圧される。その結果、人体の頭部及び／又は肩部等に加えて、腕部の疲れやコリが取られる。
特に、他の指圧器具が第１〜第７指圧器具を備える場合には、全身を接地の安定した第１〜第７指圧器具の上に乗っけて、各指圧器具で全身を空中に完全に浮かせる。この状態で、全身に渡る各ツボを押圧する。押圧（指圧）を受ける人は完全に脱力した状態になる。この押圧効果は、心身の健康回復に有効である。すなわち、全身の筋肉の疲労とコリを除去又は緩和するとともに、脱力して、意識がリラックスするので、精神のストレスが軽減される。
さらに、前記他の指圧器具が、人体の肩部を押圧するための左右の肩用指圧器具を備え、該肩用指圧器具が、該肩用指圧器具の前記心棒の軸心が前記第１指圧器具の前記心棒の軸心に対して傾斜するように配される場合は、左右の肩用指圧器具により人体の肩部（特に、肩甲骨部を含む肩部）が押圧される。また、これら第１指圧器具及び左右の肩用指圧器具の組み合わせを、安眠・熟睡用枕として長時間使用することができる。【００１５】
本発明の指圧器具セットの配置方法によると、第１指圧器具を人体の頭部及び／又は肩部が乗るように設置面の第１所定位置に配置し、他の指圧器具を人体の第１指圧器具が押圧する部分と異なる部分が乗るように設置面の他の所定位置に配置する。これにより、第１指圧器具の弾性体により人体の頭部及び／又は肩部が押圧され、他の指圧器具の弾性体により人体の第１指圧器具が押圧する部分と異なる部分が押圧される。特に、他の指圧器具の弾性体の凸曲面により人体の圧点が効果的に押圧される。その結果、第１指圧器具による人体の頭部及び／又は肩部に加えて、他の指圧器具により、第１指圧器具が押圧する以外の部分の疲れやコリが取られ、肩コリをより確実に除去又は緩和することができる。
【図面の簡単な説明】
【００１６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る指圧器具（第１指圧器具）の斜視図である。
【図２】上記指圧器具の平面図である。
【図３】図２のＩＩＩ矢視拡大図である。
【図４】図２のＩＶ−ＩＶ線断面拡大図である。
【図５】実施例に係る弾性体（非弾性変形状態）の斜視図である。
【図６】上記弾性体の裏面側からみた平面図である。
【図７】図６のＶＩＩ−ＶＩＩ線断面図である。
【図８】図６のＶＩＩＩ−ＶＩＩＩ線断面拡大図である。
【図９】図６のＩＸ−ＩＸ線断面拡大図である。
【図１０】上記指圧器具の作用説明図であり、（ａ）は人体の背面からみた指圧器具の位置を示し、（ｂ）は人体の側面からみた指圧器具の位置を示す。
【図１１】上記指圧器具の作用説明図であり、（ａ）は人体の背面からみた指圧器具の位置を示し、（ｂ）は人体の側面からみた指圧器具の位置を示す。
【図１２】上記指圧器具の作用説明図であり、（ａ）は人体の背面からみた指圧器具の位置を示し、（ｂ）は人体の側面からみた指圧器具の位置を示す。
【図１３】上記指圧器具の作用説明図である。
【図１４】上記指圧器具の作用説明図である。
【図１５】変形例に係る弾性体（非弾性変形状態）の斜視図である。
【図１６】その他の変形例に係る弾性体（非弾性変形状態）の斜視図である。
【図１７】実施例に係る指圧器具セットを説明するための斜視図である。
【図１８】実施例に係る第２指圧器具の斜視図である。
【図１９】実施例に係る第２弾性体（非弾性変形状態）の斜視図である。
【図２０】実施例に係る第３指圧器具の斜視図である。
【図２１】実施例に係る第３弾性体（非弾性変形状態）の斜視図である。
【図２２】実施例に係る第４指圧器具の斜視図である。
【図２３】実施例に係る第４弾性体（非弾性変形状態）の斜視図である。
【図２４】実施例に係る第５指圧器具の斜視図である。
【図２５】実施例に係る第５弾性体（非弾性変形状態）の斜視図である。
【図２６】実施例に係る第６指圧器具（又は第７指圧器具）の斜視図である。
【図２７】実施例に係る第６弾性体（又は第７弾性体；非弾性変形状態）の斜視図である。
【図２８】上記指圧器具セットの作用説明図である。
【図２９】上記指圧器具セットの作用説明図であり、人体の背面からみた各指圧器具の位置を示す。
【図３０】上記指圧器具セットの作用説明図であり、人体の側面からみた各指圧器具の位置を示す。
【図３１】上記指圧器具セットの作用説明図であり、（ａ）は人体が仰向けで各指圧器具に載った状態を示し、（ｂ）は人体が横向きで各指圧器具に載った状態を示し、（ｃ）は人体が横向きで各指圧器具に載った状態を示す。
【図３２】上記第６指圧器具（又は第７指圧器具）の作用説明図であり、（ａ）は１つの指圧器具を用いる形態を示し、（ｂ）は２つの指圧器具を用いる形態を示す。
【図３３】変形例に係る第２指圧器具の斜視図である。
【図３４】変形例に係る第２弾性体（非弾性変形状態）の斜視図である。
【図３５】その他の変形例に係る第２指圧器具の斜視図である。
【図３６】その他の変形例に係る第２弾性体（非弾性変形状態）の斜視図である。
【図３７】変形例に係る指圧器具（第１指圧器具）の斜視図である。
【図３８】上記指圧器具の平面図である。
【図３９】図３８のＰ矢視拡大図である。
【図４０】その他の変形例に係る指圧器具（第１指圧器具）の斜視図である。
【図４１】上記指圧器具の組付方法を説明するための説明図であり、（ａ）は心棒に第１紐を縛り付けた状態を示し、（ｂ）は心棒に第２紐を縛り付けた状態を示し、（ｃ）は弾性体の脚部間に第３紐を縛り付けた状態を示す。
【図４２】その他の変形例に係る第６及び第７指圧器具を説明するための説明図である。
【図４３】上記第６及び第７指圧器具の作用説明図である。
【図４４】変形例に係る指圧器具セットの斜視図である。
【図４５】上記指圧器具セットの配置関係を説明するための説明図であり、（ａ）は各指圧器具の平面位置を示し、（ｂ）は人体の背面からみた各指圧器具の平面位置を示す。
【図４６】上記指圧器具セットの作用説明図であり、（ａ）は人体が仰向けで各指圧器具に載った状態を示し、（ｂ）は人体が横向きで各指圧器具に載った状態を示す。
【図４７】変形例に係る第３指圧器具を説明するための説明図である。
【図４８】指圧師による指圧を説明するための説明図である。
【図４９】その他の変形例に係る指圧器具セットの配置関係を示す平面図である。
【図５０】上記指圧器具セットの作用説明図であり、人体の背面からみた各指圧器具の位置を示す。
【図５１】上記指圧器具セットの睡眠時の配置関係を示す平面図である。
【図５２】上記指圧器具セットの作用説明図であり、人体の背面からみた各指圧器具の位置を示す。
【図５３】上記指圧器具セットの作用説明図である。
【図５４】指圧の圧点として従来知られたものを示した説明図である。
【図５５】指圧の圧点として従来知られたものを示した説明図である。
【図５６】従来の指圧器具を示す斜視図である。
【図５７】その他の従来の指圧器具を示す斜視図である。
【符号の説明】
【００１７】
１；指圧器具（第１指圧器具）、２；心棒、３，３’，３"；弾性体、１１；第１押圧部、１２；第２押圧部、１３；第３押圧部、１４；第４押圧部、１５；支持部、１７；リブ、２１，２１’；第１テーパ面、２２；第２テーパ面、Ｄ１；第１押圧部の延設方向、Ｄ２；支持部の延設方向、Ｐ；乳様突起の近傍の局部、３０，４００；指圧器具セット、３２；第２指圧器具、３３；第３指圧器具、３４；第４指圧器具、３５；第５指圧器具、３６；第６指圧器具、３７；第７指圧器具、４０１；肩用指圧器具、４１，５１，６１，７１，８１，９１；心棒、４２，５２，６２，７２，８２ａ，８２ｂ，９２ａ，９２ｂ；弾性体、９９；設置面、Ｐ１〜Ｐ７；所定位置。
【発明を実施するための形態】
【００１８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１９】
＜指圧器具＞
本実施形態に係る指圧器具は、心棒（２）と、心棒に取り付けられる長尺状の一対の弾性体（３，３’，３"）と、を備え、弾性体は、心棒の軸方向に交差して配され且つ心棒の外面に沿って曲げられて心棒に取り付けられている（例えば、図１等参照）。そして、上記弾性体（３，３’，３"）は、心棒（２）の上面側に配される第１押圧部（１１）を備え、第１押圧部の裏面側には、第１押圧部の延設方向（Ｄ１）に対して傾斜し且つ心棒の外面に接する第１テーパ面（２１、２１’）が形成されている（例えば、図４等参照）。なお、上記「第１押圧部の延設方向」とは、非弾性変形状態の第１押圧部の縦断面における表面縁が延びる方向を意図する。
【００２０】
上記第１テーパ面（２１，２１’）の第１押圧部（１１）に対する傾斜角（θ１）は、乳様突起の近傍の局部に対する第１押圧部の押圧力等に応じて適宜選択できる（例えば、図７等参照）。この傾斜角（θ１）は、第１押圧部の押圧力といった観点から、３０〜６０度であることが好ましい。また、上記第１テーパ面（２１、２１’）は、例えば、弾性体（３，３’，３"）の下面側に形成された上面側に向かって凹む凹部（７）に配されていることができる（例えば、図５及び図１６等参照）。
【００２１】
本実施形態に係る指圧器具としては、例えば、上記弾性体（３，３’，３"）は、弾性体の長尺方向の一端側の近傍に配される第２押圧部（１２）を備え、第２押圧部の縦断面における表面縁は略曲線状である形態（例えば、図４等参照）を挙げることができる。なお、上記「縦断面」とは、弾性体の長尺方向に沿う断面を意図する。この点は、以下の説明でも同様に適用される。
【００２２】
上記第２押圧部（１２）の表面縁の曲率半径（Ｒ）は、肩甲間部や肩甲上部に対する第２押圧部の押圧等に応じて適宜選択できる（例えば、図４等参照）。この曲率半径（Ｒ）は、第２押圧部の押圧力といった観点から、７０〜２００ｍｍであることが好ましい。
【００２３】
上述の形態の場合、例えば、上記弾性体（３，３’，３"）は、第１押圧部（１１）と第２押圧部（１２）との間に配される第３押圧部（１３）を備え、第３押圧部の縦断面における表面縁は略直線状であることができる（例えば、図４等参照）。
【００２４】
上記第３押圧部（１３）の表面縁の水平に対する傾斜角（θ３）は、肩甲間部や肩甲上部に対する第３押圧部の押圧力等に応じて適宜選択できる（例えば、図４等参照）。この傾斜角（θ３）は、第３押圧部の押圧力といった観点から、１０〜３０度であることが好ましい。
【００２５】
本実施形態に係る指圧器具としては、例えば、上記弾性体（３，３’，３"）は、心棒（２）の外面を直立状態で支持する支持部（１５）を備え、支持部の裏面側には、支持部の延設方向（Ｄ２）に対して傾斜し且つ心棒の外面に接する第２テーパ面（２２）が形成されている形態（例えば、図４等参照）を挙げることができる。なお、上記「支持部の延設方向」とは、非弾性変形状態の支持部の縦断面における表面縁が延びる方向を意図する。
【００２６】
上記第２テーパ面（２２）の傾斜角（θ２）は、心棒（２）に対する支持部（１５）のすべり程度等に応じて適宜選択できる（例えば、図７等参照）。この傾斜角（θ２）は、心棒に対する支持部のすべり程度といった観点から、１５〜４５度であることが好ましい。また、上記第２テーパ面（２２）は、例えば、弾性体（３，３’，３"）の下面側に形成された上面側に向かって凹む凹部（７）に配されていることができる（例えば、図５等参照）。
【００２７】
上述の形態の場合、例えば、上記弾性体（３，３’，３"）は、第１押圧部（１１）と支持部（１５）との間で心棒（２）の上面側に配される第４押圧部（１４）を備え、第４押圧部の厚さ（ｔ）は２〜５ｍｍである形態（例えば、図４等参照）を挙げることができる。
【００２８】
本実施形態に係る指圧器具としては、例えば、上記第１押圧部（１１）の裏面側には、第１押圧部の延設方向（Ｄ１）に延びるリブ（１７）が設けられ、リブの下面により第１テーパ面（２１）が形成されている形態（例えば、図５等参照）を挙げることができる。
【００２９】
本実施形態に係る指圧器具としては、例えば、上記弾性体（３，３’，３"）の上面は、横断面で上向きに凸となる凸曲面（好ましくは、円弧状の凸曲面）に形成されている形態（例えば、図８及び図９等参照）を挙げることができる。これにより、少なくとも第１押圧部は、弾性体の縦断面及び横断面において上向きの凸曲面となり、第１押圧部により人体の局部が線でなく点で押圧され、指圧効果が高められる。なお、上記「横断面」とは、弾性体の長尺方向に略直交する方向に沿う断面を意図する。
【００３０】
＜指圧器具セット＞
本実施形態に係る指圧器具セット（３０）は、人体の頭部及び／又は肩部を押圧するための上述の第１指圧器具（１）と、人体の第１指圧器具が押圧する部分と異なる部分（例えば、人体の頭部以外の部分等）を押圧するための他の指圧器具と、を備える（例えば、図１７等参照）。そして、上記他の指圧器具は、心棒と、心棒に取り付けられる長尺状の一対の弾性体と、を備え、弾性体は、心棒の軸方向に交差して配され且つ心棒の外面に沿って曲げられて心棒に取り付けられており、弾性体の上面は、横断面で上向きに凸となる凸曲面（好ましくは、円弧状の凸曲面）に形成されている（例えば、図１８〜図２７等参照）。なお、上記「横断面」とは、弾性体の長尺方向に略直交する方向に沿う断面を意図する。この点は、以下の説明でも同様に適用される。
【００３１】
本実施形態に係る指圧器具セットとしては、例えば、上記他の指圧器具は、人体の背筋部を押圧するための第２指圧器具（３２）を備える形態（例えば、図２８〜図３０等参照）を挙げることができる。
【００３２】
本実施形態に係る指圧器具セットとしては、例えば、上記他の指圧器具は、人体の腰部及び／又は臀部を押圧するための第３指圧器具（３３）を備える形態（例えば、図２８〜図３０等参照）を挙げることができる。
【００３３】
上記第３指圧器具は、例えば、左右の横指圧器具（４０５）を備え、横指圧器具（４０５）は、横指圧器具の心棒（４０５ａ）の軸心が第１指圧器具（１）の心棒（２）の軸心に対して傾斜するように配されることができる（例えば、図４９及び図５０等参照）。この横指圧器具の心棒（４０５ａ）の軸心と第１指圧器具（１）の軸心（すなわち、中央指圧器具（４０４）の心棒（４０４ａ）の軸心）とのなす角度θ５（図４９参照）は、例えば、３５〜５５°（好ましくは４０〜５０°）とされる。
【００３４】
上記第３指圧器具は、例えば、上記左右の横指圧器具（４０５）及び中央指圧器具（４０４）を備え、中央指圧器具（４０４）は、中央指圧器具の心棒（４０４ａ）の軸心が第１指圧器具（１）の心棒（２）の軸心に対して平行となるように配されることができる（例えば、図４９及び図５０等参照）。上記左右の横指圧器具（４０５）は、通常、中央指圧器具（４０４）の上方の左右両側に配される。なお、上記「平行」とは、略平行であることを意図しており、中央指圧器具の心棒の軸心が第１指圧器具の心棒の軸心に対して±５度程度傾斜している場合を含むものとする。
【００３５】
本実施形態に係る指圧器具セットとしては、例えば、上記他の指圧器具は、人体の脚部のふくらはぎ部を押圧するための第４指圧器具（３４）と、人体の脚部のアキレス腱部を押圧するための第５指圧器具（３５）と、を備える形態（例えば、図２８〜図３０等参照）を挙げることができる。
【００３６】
上述の形態の場合、例えば、上記第４指圧器具（３４）及び第５指圧器具（３５）のそれぞれは、一対の弾性体（６２，７２）を２組備えることができる（例えば、図１７等参照）。
【００３７】
本実施形態に係る指圧器具セットとしては、例えば、上記他の指圧器具は、人体の左腕部を押圧するための第６指圧器具（３６）と、人体の右腕部を押圧するための第７指圧器具（３７）と、を備える形態（例えば、図２８〜図３０等参照）を挙げることができる。
【００３８】
本実施形態に係る指圧器具セットとしては、例えば、上記他の指圧器具は、人体の肩部を押圧するための左右の肩用指圧器具（４０１）を備える形態（例えば、図４４〜図４６等参照）を挙げることができる。これら各肩用指圧器具（４０１）は、通常、第１指圧器具（１）の下方の左右両側に配される。
【００３９】
＜指圧器具セットの配置方法＞
本実施形態に係る指圧器具セットの配置方法は、上述の指圧器具セット（３０）の配置方法であって、上記第１指圧器具（１）を人体の頭部及び／又は肩部が乗るように設置面（９９）の第１所定位置（Ｐ１）に配置し、他の指圧器具を人体の第１指圧器具が押圧する部分と異なる部分（例えば、人体の頭部以外の部分等）が乗るように設置面の他の所定位置（Ｐ２〜Ｐ７）に配置する（例えば、図２８〜図３０等参照）。なお、上記「所定位置」とは、使用者の体格等に応じて決められる位置である。
【００４０】
なお、上記実施形態で記載した各構成の括弧内の符号は、後述する実施例に記載の具体的構成との対応関係を示すものである。
【実施例】
【００４１】
以下、図面を用いて実施例により本発明を具体的に説明する。【００４２】
＜指圧器具＞
（１）指圧器具の構成
本実施例に係る指圧器具１は、図１〜図３に示すように、丸棒状で木製の心棒２と、この心棒２に取り付けられる長尺状でゴム製の一対の弾性体３と、を備えている。この弾性体３は、心棒２の軸方向に交差（略直交）して配され且つ心棒２の外面に沿って曲げられて心棒２に取り付けられている。この心棒２は、その直径Ｄ（図３参照）が約６６ｍｍとされ、その軸方向長さが約３００ｍｍとされている。【００４３】
上記弾性体３の表面側には、図１〜図３に示すように、円周方向に延びる溝部４が形成されている。これら溝部４に紐５を挿通させつつ心棒２及び弾性体３に巻き付けることで両者２、３が一体的に結合されている。これら一対の弾性体３の左右間隔Ｗ（図２参照）は、頭部の左右の耳の間隔に合わせた値（例えば、約１６０ｍｍ等）とされている。この左右間隔Ｗの値は、紐５による心棒２及び弾性体３の結合状態を変更することで容易に調整することができる。【００４４】
上記弾性体３は、図５〜図９に示すように、その横断面が略半円形状とされ、その長尺方向にわたって一様な横幅を有している。この弾性体３の表面（上面）は、横断面で上向きに凸となる凸曲面に形成されている。また、弾性体３の裏面側には、表面側に向かって凹む凹部７が形成されている。【００４５】
上記弾性体３は、図４に示すように、その長尺方向の両端側が床面等の設置面に接地可能な脚部８、９とされている。この脚部８の高さは約５ｍｍとされ、脚部９の高さＨ２は約４０ｍｍとされている。さらに、弾性体３は、第１押圧部１１、第２押圧部１２、第３押圧部１３、第４押圧部１４及び支持部１５を備えている。なお、上記凹部７は、弾性体３の第１押圧部１１、第４押圧部１４及び支持部１５にわたる部位に形成されている（図７参照）。【００４６】
上記第１押圧部１１は、図４に示すように、心棒２の上面側に配されている。この第１押圧部１１は、主に人体の乳用突起２１０の近傍の局部Ｐ（図１７（ｃ）参照）を押圧するために用いられる。また、第１押圧部１１の裏面側には、図５〜図７に示すように、第１押圧部１１の延設方向Ｄ１に沿って延びるリブ１７（すなわち、凹部７の底面から立ち上がる板状部１７）が突設されている。このリブ１７の横面側には、湾曲状に延びる補強部１８が設けられている。そして、リブ１７の下面は、図７に示すように、第１押圧部１１の延設方向Ｄ１に対して所定の傾斜角θ１（例えば、約４５度等）で傾斜する第１テーパ面２１とされている。この第１テーパ面２１が心棒２の外周面に接することで、第１押圧部１１の表面側に凸状曲面部１１ａ（図１参照）が形成されている。【００４７】
上記第２押圧部１２は、図４に示すように、弾性体３の長尺方向の一端側の近傍（すなわち、脚部９に隣接する位置）に配されている。この第２押圧部１２は、主に人体の肩甲間部２０２及び肩甲上部２０６（図１７（ａ）参照）を押圧するために用いられる。また、第２押圧部１２の縦断面における表面縁は略曲線状（すなわち、上向きに凸となる曲線状）とされている。さらに、第２押圧部１２の表面縁の曲率半径Ｒは約８５ｍｍとされている。【００４８】
上記第３押圧部１３は、図４に示すように、第１押圧部１１と第２押圧部１２との間に配されている。この第３押圧部１３は、主に人体の肩甲間部２０２（図１７（ａ）参照）を押圧するために用いられる。また、第３押圧部１３の縦断面における表面縁は略直線状とされている。さらに、第３押圧部１３の表面縁の水平に対する傾斜角θ３は約２０度とされている。【００４９】
上記第４押圧部１４は、図４に示すように、第１押圧部１１と支持部１５との間で心棒２の上面側に配されている。この第４押圧部１４は、主に人体の頭部を押圧するために用いられる。また、第４押圧部１４の厚さは約２ｍｍとされている。さらに、第４押圧部１４は、心棒２に巻き付けられることで他の第１〜第３押圧部１１〜１３に比べて幅広状とされている（図１参照）。【００５０】
上記支持部１５は、図４に示すように、第４押圧部１４と脚部８との間に配されている。この支持部１５は、床面等の設置面上に指圧器具１を置いた状態（すなわち、弾性体３の脚部８、９を設置面上に接地した状態）で直立状態となる。また、支持部１５の裏面側には、図７に示すように、支持部１５の延設方向Ｄ２に対して所定の傾斜角θ２（例えば、約２０度等）で傾斜する第２テーパ面２２が形成されている。この第２テーパ面２２が心棒２の外周面に接することで、支持部１５により心棒２が支持されている。また、第２テーパ面２２は、支持部１５の幅方向の略全長にわたって延びている（図５参照）。【００５１】
ここで、図４に示すように、首の長さによる第１及び第２押圧部１１、１２による当りＬ１を調整することができる。この当りＬ１調整は、主に、第３押圧部１３の長さｌ３、第２押圧部１２の長さｌ２、及び第２押圧部１２の曲率半径Ｒの値を変えることで実施される。また、人体の大きさによる全体の高さＨ１を調整することができる。この高さＨ１調整は、主に、第２押圧部１２の長さｌ２、第２押圧部の曲率半径Ｒ、支持部１５の長さｌ５、及び心棒の直径Ｄの値を変えることで実施される。【００５２】
（２）指圧器具の作用
次に、上記構成の指圧器具１の作用について説明する。先ず、指圧器具１を床面等の設置面において使用者が仰向けに寝て、図１０（ａ）（ｂ）に示すように、一対の弾性体３の第３押圧部１３に使用者の肩甲間部２０２をのせて、その状態で使用者が第３押圧部１３に体重の一部をかける。すると、第３押圧部１３により肩甲間部２０２が押圧される。【００５３】
次いで、図１１（ａ）（ｂ）に示すように、一対の弾性体３の第２押圧部１２に使用者の肩甲間部２０２の上半分から肩甲上部２０６をのせて、その状態で使用者が第２押圧部１２に体重の一部をかける。すると、第２押圧部１２により肩甲間部２０２から肩甲上部２０６までが押圧される。【００５４】
その後、図１２（ａ）（ｂ）に示すように、一対の弾性体３の第４押圧部１４に使用者の頭部をのせて、顔を上向きとして、その状態で使用者が第４押圧部１４に体重の一部をかける。すると、第４押圧部１４により頭部が押圧される。その状態より、図１３に示すように、顔を横向きとして、一方の弾性体３の第１押圧部１１に使用者の耳骨周辺をのせて、その状態で使用者が第１押圧部１１に体重の一部をかける。すると、第１押圧部１１の凸状曲面部１１ａにより乳用突起の近傍の局部Ｐが押圧される。【００５５】
なお、上述のように弾性体３の表面側に頭部や肩部をのせると、図１４中に仮想線で示すように、その重力により、心棒２が支持部１５の第２テーパ面２２をすべりつつ弾性体３の全体が上下方向に弾性変形することとなる。【００５６】
（３）実施例の効果
以上より、本実施例の指圧器具１によると、心棒２と、心棒２に取り付けられる長尺状の一対の弾性体３と、を備え、弾性体３は、心棒２の軸方向に交差して配され且つ心棒２の外面に沿って曲げられて心棒２に取り付けられている。そして、弾性体３は、心棒２の上面側に配される第１押圧部１１を備え、第１押圧部１１の裏面側には、第１押圧部１１の延設方向Ｄ１に対して傾斜し且つ心棒２の外面に接する第１テーパ面２１が形成されている。これにより、弾性体２の表面側に頭部や肩部をのせると、その重力により弾性体３が弾性変形すること及び弾性体３自身が柔らかいことで、筋肉が解されたり血行がよくされたりして指圧効果と同様の効果が得られる。また、第１押圧部１１の裏面側の第１テーパ面２１が心棒２の外面に接することで、第１押圧部１１の表面側に凸状曲面部１１ａが形成される。そのため、弾性体３の表面側に頭部や肩部をのせたときに、第１押圧部１１で乳様突起の近傍の局部Ｐを的確にとらえて適切な押圧力で押圧することができる。その結果、肩コリを除去又は緩和することができる。【００５７】
特に、本実施例の指圧器具１によると、素人が自分自身の体のケアを熟練者並にしっかりと実施することができる。例えば、毎日好きな時間に、肩コリ取りができ、肩コリ知らずで過ごすことができる。よって、肩コリからくる病気を未然に防ぎ、医療費削減に貢献することができる。また、本実施例の指圧器具１によると、使用者は、頭部及び肩部を２点又は４点で同時に押圧されることで、頭部に一人、肩部に一人の、合計二人の指圧師により指圧されている感覚を受ける。また、本実施例の指圧器具１によると、一対の弾性体３のうちの一方の弾性体３に使用者の頭部をのせて体重の一部をかけることで、第１押圧部１１により乳用突起の近傍の局部Ｐが押圧されて強い指圧効果を得ることができる。また、弾性体３の横幅を大きくすることで、本指圧器具１を安眠・熟睡用枕として長時間使用することもできる。さらに、第１押圧部１１で乳用突起の近傍の局部Ｐをとらえて押圧することは、生命エネルギーの源のツボをとらえて押圧することとなるので、すばらしい健康増進効果が得られる。【００５８】
なお、上記乳用突起の近傍の局部Ｐは、神経の万能、スーパースポットである。全身に通じ、全身の神経が活性化する。また、生命エネルギーの発生スイッチ、健康エネルギーの発生スイッチでもある。ここを毎日押圧することは、体をより健康に、精神をより安定させる。さらに、神経の流れをスムーズに整え、健康にする。【００５９】
また、本実施例の指圧器具１によると、弾性体３は、弾性体３の長尺方向の一端側の近傍に配される第２押圧部１２を備え、第２押圧部１２の縦断面における表面縁は略曲線状である。これにより、第２押圧部１２の表面側に曲面状の肩部（例えば、肩甲間部２０２、肩甲上部２０６等）をのせたときに、肩部に対して第２押圧部１２が点で当ることで強く押圧できる。よって、肩甲上部２０６から肩甲間部２０２までの曲面部の全ての部分をまんべんなく押圧することができる。【００６０】
また、本実施例の指圧器具１によると、弾性体３は、第１押圧部１１と第２押圧部１２との間に配される第３押圧部１３を備え、第３押圧部１３の縦断面における表面縁は略直線状である。これにより、第３押圧部１３の表面側に肩部（例えば、肩甲間部２０２等）をのせたときに、肩部に対して第３押圧部１３が線で当ることで柔らかく押圧できる。【００６１】
また、本実施例の指圧器具１によると、弾性体３は、心棒２の外面を直立状態で支持する支持部１５を備え、支持部１５の裏面側には、支持部１５の延設方向Ｄ２に対して傾斜し且つ心棒２の外面に接する第２テーパ面２２が形成されている。これにより、弾性体３の表面側に頭部や肩部をのせたときに、支持部１５が弾性変形すること及び心棒２が第２テーパ面２２をすべることで、第１押圧部１１で乳様突起の近傍の局部Ｐを更に的確にとらえて更に適切な押圧力で押圧できる。さらに、第２テーパ面２２により支持部１５の強度が高められる。【００６２】
また、本実施例の指圧器具１によると、弾性体３は、第１押圧部１１と支持部１５との間で心棒２の上面側に配される第４押圧部１４を備え、第４押圧部１４の厚さは２〜５ｍｍである。これにより、第４押圧部１４の表面側に頭部をのせたときに、肉厚が薄い第４押圧部１４により頭部を柔らかく押圧できる。【００６３】
さらに、本実施例の指圧器具１によると、第１押圧部１１の裏面側には、第１押圧部１１の延設方向Ｄ１に延びるリブ１７が設けられ、リブ１７の下面により第１テーパ面２１が形成されている。これにより、第１押圧部１１で乳様突起の近傍の局部Ｐを更に的確にとらえて更に適切な押圧力で押圧できる。【００６４】
さらに、本実施例の指圧器具１によると、第１テーパ面２１は、弾性体３の下面側に形成された上面側に向かって凹む凹部７に配されている。これにより、第１テーパ面２１を容易に形成することができる。さらに、本実施例の指圧器具１によると、第２テーパ面２２は、弾性体３の下面側に形成された上面側に向かって凹む凹部７に配されている。これにより、第２テーパ面２２を容易に形成することができる。【００６５】
＜指圧器具セット＞
（１）指圧器具セットの構成
本実施例に係る指圧器具セット３０は、図１７に示すように、上述の第１指圧器具１（図１参照）と、以下に述べる第２指圧器具３２、第３指圧器具３３、第４指圧器具３４、第５指圧器具３５、第６指圧器具３６、及び第７指圧器具３７を備えている。【００６６】
上記第１指圧器具１は、人体の頭部及び／又は肩部を押圧するための指圧器具である（図２９参照）。この第１指圧器具１は、上述の第１心棒２及び一対の第１弾性体３を備えている。【００６７】
上記第２指圧器具３２は、人体の背筋部を押圧するための指圧器具である（図２９参照）。この第２指圧器具３２は、図１８に示すように、丸棒状で木製の第２心棒４１と、この第２心棒４１に取り付けられる長尺状でゴム製の一対の第２弾性体４２と、を備えている。この第２心棒４１は、その直径が約６６ｍｍとされ、その軸方向長さが約３００ｍｍとされている。また、第２弾性体４２は、第２心棒４１の軸方向に交差（略直交）して配され且つ第２心棒４１の外面に沿って曲げられて第２心棒４１に取り付けられている。【００６８】
上記第２心棒４１及び第２弾性体４２に紐４３を巻き付けることで両者４１、４２が一体的に結合されている。これら一対の第２弾性体４２の左右間隔は、紐４３による第２心棒４１及び第２弾性体４２の結合状態を変更することで容易に調整することができる。【００６９】
上記第２弾性体４２は、図１９に示すように、非弾性変形状態（すなわち、第２心棒４１への取付け前の状態）において所定長さＬ２（例えば、約２３０ｍｍ）で略直線状に延びている。この第２弾性体４２は、その横断面が略半円形状とされ、その長尺方向にわたって一様な最大横幅Ｗ２（例えば、約５０ｍｍ）を有している。また、第２弾性体４２の表面（上面）は、横断面で上向きに凸となる凸曲面に形成されている。また、第２弾性体４２の第２心棒４１の上側部である押圧部４４は、図１８に示すように、縦断面で上向きに凸となる凸曲面に形成されている。さらに、第２弾性体４２は、その長尺方向の両端側が床面等の設置面に接地可能な脚部４５とされている。【００７０】
上記第３指圧器具３３は、人体の腰部及び／又は臀部を押圧するための指圧器具である（図２９参照）。この第３指圧器具３３は、図２０に示すように、丸棒状で木製の第３心棒５１と、この第３心棒５１に取り付けられる長尺状でゴム製の一対の第３弾性体５２と、を備えている。この第３心棒５１は、その直径が約４０ｍｍとされ、その軸方向長さが約３００ｍｍとされている。また、第３弾性体５２は、第３心棒５１の軸方向に交差（略直交）して配され且つ第３心棒５１の外面に沿って曲げられて第３心棒５１に取り付けられている。【００７１】
上記第３心棒５１及び第３弾性体５２に紐５３を巻き付けることで両者５１、５２が一体的に結合されている。これら一対の第３弾性体５２の左右間隔は、紐５３による第３心棒５１及び第３弾性体５２の結合状態を変更することで容易に調整することができる。【００７２】
上記第３弾性体５２は、図２１に示すように、非弾性変形状態（すなわち、第３心棒５１への取付け前の状態）において所定長さＬ３（例えば、約３００ｍｍ）で略直線状に延びている。この第３弾性体５２は、その横断面が略半円形状とされ、その長尺方向にわたって一様な最大横幅Ｗ３（例えば、約６０ｍｍ）を有している。また、第３弾性体５２の表面（上面）は、横断面で上向きに凸となる凸曲面に形成されている。また、第３弾性体５２の第３心棒５１の上側部である押圧部５４は、図２０に示すように、縦断面で上向きに凸となる凸曲面に形成されている。さらに、第３弾性体５２は、その長尺方向の両端側が床面等の設置面に接地可能な脚部５５とされている。【００７３】
なお、上記第２指圧器具３２の第２弾性体４２の長尺長さＬ２は、第３指圧器具３３の第３弾性体５２の長尺長さＬ３より小さな値とされている。また、上記第２指圧器具３２の第２弾性体４２の最大横幅Ｗ２は、第３指圧器具３３の第３弾性体５２の最大横幅Ｗ３より小さな値とされている。さらに、上記第２指圧器具３２の第２心棒４１の直径は、第３指圧器具３３の第３心棒５１の直径より大きな値とされている。【００７４】
上記第４指圧器具３４は、人体の脚部のふくらはぎ部を押圧するための指圧器具である（図２９参照）。この第４指圧器具３４は、図２２に示すように、丸棒状で木製の第４心棒６１と、この第４心棒６１に取り付けられる長尺状でゴム製の一対の第４弾性体６２と、を備えている。この第４心棒６１は、その直径が約４０ｍｍとされ、その軸方向長さが約４５０ｍｍとされている。また、第４弾性体６２は、第４心棒６１の軸方向に交差（略直交）して配され且つ第４心棒６１の外面に沿って曲げられて第４心棒６１に取り付けられている。さらに、一対の第４弾性体６２は、１つの第４心棒６１に対して２組備えられている。【００７５】
上記第４心棒６１及び第４弾性体６２に紐６３を巻き付けることで両者６１、６２が一体的に結合されている。これら一対の第４弾性体６２の左右間隔は、紐６３による第４心棒６１及び第４弾性体６２の結合状態を変更することで容易に調整することができる。【００７６】
上記第４弾性体６２は、図２３に示すように、非弾性変形状態（すなわち、第４心棒６１への取付け前の状態）において所定長さＬ４（例えば、約２３０ｍｍ）で略直線状に延びている。この第４弾性体６２は、その横断面が略半円形状とされ、その長尺方向にわたって一様な最大横幅Ｗ４（例えば、約５０ｍｍ）を有している。また、第４弾性体６２の表面（上面）は、横断面で上向きに凸となる凸曲面に形成されている。また、第４弾性体６２の第４心棒６１の上側部である押圧部６４は、図２２に示すように、縦断面で上向きに凸となる凸曲面に形成されている。さらに、第４弾性体６１は、その長尺方向の両端側が床面等の設置面に接地可能な脚部６５とされている。【００７７】
上記第５指圧器具３５は、人体の脚部のアキレス腱部を押圧するための指圧器具である（図２９参照）。この第５指圧器具３５は、図２４に示すように、丸棒状で木製の第５心棒７１と、この第５心棒７１に取り付けられる長尺状でゴム製の一対の第５弾性体７２と、を備えている。この第５心棒７１は、その直径が約４０ｍｍとされ、その軸方向長さが約４５０ｍｍとされている。また、第５弾性体７２は、第５心棒７１の軸方向に交差（略直交）して配され且つ第５心棒７１の外面に沿って曲げられて第５心棒７１に取り付けられている。さらに、一対の第５弾性体７２は、１つの第５心棒７２に対して２組備えられている。【００７８】
上記第５心棒７１及び第５弾性体７２に紐７３を巻き付けることで両者７１、７２が一体的に結合されている。これら一対の第５弾性体７２の左右間隔は、紐７３による第５心棒７１及び第５弾性体７２の結合状態を変更することで容易に調整することができる。【００７９】
上記第５弾性体７２は、図２５に示すように、非弾性変形状態（すなわち、第５心棒７１への取付け前の状態）において所定長さＬ５（例えば、約２３０ｍｍ）で略直線状に延びている。この第５弾性体７２は、その横断面が略半円形状とされ、その長尺方向にわたって一様な最大横幅Ｗ５（例えば、約６０ｍｍ）を有している。また、第５弾性体７２の表面（上面）は、横断面で上向きに凸となる凸曲面に形成されている。また、第５弾性体７２の第５心棒７１の上側部である押圧部７４は、図２４に示すように、縦断面で上向きに凸となる凸曲面に形成されている。さらに、第５弾性体７２は、その長尺方向の両端側が床面等の設置面に接地可能な脚部７５とされている。【００８０】
なお、上記第４指圧器具３４の第４弾性体６２の最大横幅Ｗ４は、第５指圧器具３５の第５弾性体７２の最大横幅Ｗ５より小さな値とされている。【００８１】
上記第６指圧器具３６は、人体の左腕部を押圧するための指圧器具である（図２９参照）。この第６指圧器具３６は、図２６に示すように、丸棒状で木製の第６心棒８１と、この第６心棒８１に取り付けられる長尺状でゴム製の一対の第６弾性体８２ａ，８２ｂと、を備えている。この第６心棒８１は、その直径が約４０ｍｍとされ、その軸方向長さが約３００ｍｍとされている。また、第６弾性体８２ａ，８２ｂは、第６心棒８１の軸方向に交差（略直交）して配され且つ第６心棒８１の外面に沿って曲げられて第６心棒８１に取り付けられている。【００８２】
上記第６心棒８１及び第６弾性体８２ａ，８２ｂに紐８３を巻き付けることで両者８１、８２ａ，８２ｂが一体的に結合されている。これら一対の第６弾性体８２ａ，８２ｂの左右間隔は、紐８３による第６心棒８１及び第６弾性体８２ａ，８２ｂの結合状態を変更することで容易に調整することができる。【００８３】
上記第６弾性体８２ａは、図２７に示すように、非弾性変形状態（すなわち、第６心棒８１への取付け前の状態）において所定長さＬａ６（例えば、約２３０ｍｍ）で略直線状に延びている。この第６弾性体８２ａは、その横断面が略半円形状とされ、その長尺方向にわたって一様な最大横幅Ｗａ６（例えば、約５０ｍｍ）を有している。また、上記第６弾性体８２ｂは、非弾性変形状態（すなわち、第６心棒８１への取付け前の状態）において所定長さＬｂ６（例えば、約２３０ｍｍ）で略直線状に延びている。この第６弾性体８２ｂは、その横断面が略半円形状とされ、その長尺方向にわたって一様な最大横幅Ｗｂ６（例えば、約６０ｍｍ）を有している。また、第６弾性体８２ａ，８２ｂの表面（上面）は、横断面で上向きに凸となる凸曲面に形成されている。また、第６弾性体８２ａ，８２ｂの第６心棒８１の上側部である押圧部８４は、図２６に示すように、縦断面で上向きに凸となる凸曲面に形成されている。さらに、第６弾性体８２ａ，８２ｂは、その長尺方向の両端側が床面等の設置面に接地可能な脚部８５とされている。【００８４】
上記第７指圧器具３７は、人体の右腕部を押圧するための指圧器具である（図２９参照）。この第７指圧器具３７は、図２６に示すように、丸棒状で木製の第７心棒９１と、この第７心棒９１に取り付けられる長尺状でゴム製の一対の第７弾性体９２ａ，９２ｂと、を備えている。この第７心棒９１は、その直径が約４０ｍｍとされ、その軸方向長さが約３００ｍｍとされている。また、第７弾性体９２ａ，９２ｂは、第７心棒９１の軸方向に交差（略直交）して配され且つ第７心棒９１の外面に沿って曲げられて第７心棒９１に取り付けられている。【００８５】
上記第７心棒９１及び第７弾性体９２ａ，９２ｂに紐９３を巻き付けることで両者９１、９２ａ，９２ｂが一体的に結合されている。これら一対の第７弾性体９２ａ，９２ｂの左右間隔は、紐９３による第７心棒９１及び第７弾性体９２ａ，９２ｂの結合状態を変更することで容易に調整することができる。【００８６】
上記第７弾性体９２ａは、図２７に示すように、非弾性変形状態で直線状に所定長さＬａ７（例えば、約２３０ｍｍ）で延びている。この第７弾性体９２ａは、その横断面が略半円形状とされ、その長尺方向にわたって一様な最大横幅Ｗａ７（例えば、約５０ｍｍ）を有している。また、上記第７弾性体９２ｂは、非弾性変形状態で直線状に所定長さＬｂ７（例えば、約２３０ｍｍ）で延びている。この第７弾性体９２ｂは、その横断面が略半円形状とされ、その長尺方向にわたって一様な最大横幅Ｗｂ７（例えば、約６０ｍｍ）を有している。また、第７弾性体９２ａ，９２ｂの表面（上面）は、横断面で上向きに凸となる凸曲面に形成されている。また、第７弾性体９２ａ，９２ｂの第７心棒９１の上側部である押圧部９４は、図２６に示すように、縦断面で上向きに凸となる凸曲面に形成されている。さらに、第７弾性体９２ａ，９２ｂは、その長尺方向の両端側が床面等の設置面に接地可能な脚部９５とされている。【００８７】
（２）指圧器具セットの作用
次に、上記構成の指圧器具セット３０の作用について説明する。先ず、指圧器具セット３０の配置方法について説明する。図２８〜図３０に示すように、第１指圧器具１を使用者（被指圧人）の頭部及び肩部が乗るように床面等の設置面９９の第１所定位置Ｐ１に配置する。また、第２指圧器具３２を使用者の背筋部が乗るように設置面９９の第２所定位置Ｐ２に配置する。また、第３指圧器具３３を使用者の腰部及び臀部が乗るように設置面９９の第３所定位置Ｐ３に配置する。また、第４指圧器具３４を使用者の脚部のふくらはぎ部が乗るように設置面９９の第４所定位置Ｐ４に配置する。また、第５指圧器具３５を使用者の脚部のアキレス腱部が乗るように設置面９９の第５所定位置Ｐ５に配置する。また、第６指圧器具３６を使用者の左腕部が乗るように設置面９９の第６所定位置Ｐ６に配置する。さらに、第７指圧器具３７を使用者の右腕部が乗るように設置面９９の第７所定位置Ｐ７に配置する。なお、上記指圧器具１、３２〜３７の位置は、使用者の体格等に応じて適宜調整して決められる。【００８８】
次に、図３１（ａ）に示すように、使用者は、第１〜第７指圧器具１、３２〜３７上に仰向け状態で体を載せて全体重をかける。すると、使用者は、体が宙に浮いた状態（すなわち、体が脱力した状態）となる。そして、図２９及び図３０に示すように、第１指圧器具により頭部の圧点（例えば、後頸部２０４の圧点）及び肩部の圧点（例えば、肩甲上部２０６）が押圧される。また、第２指圧器具３２により背筋部の圧点（例えば、肩甲下部３０２の圧点（特に、肩甲下部３０２の１点目の圧点；「胆兪（カンユ）のツボ」とも称される。；上記非特許文献３のＰ８１参照）が押圧される。また、第３指圧器具３３により腰部及び臀部の圧点（特に、浪越圧点３０４）が押圧される。また、第４指圧器具３４により人体の脚部のふくらはぎ部の圧点（例えば、下腿後側部３０８の圧点）が押圧される。また、第５指圧器具３５により人体のアキレス腱部の圧点（例えば、下腿後側部３０８の圧点）が押圧される。また、図３２（ａ）に示すように、第６指圧器具３６により人体の左腕部の圧点（例えば、前腕外側部の圧点）が押圧される。さらに、第７指圧器具３７により人体の右腕部の圧点（例えば、前腕外側部の圧点）が押圧される。【００８９】
次いで、図３１（ｂ）（ｃ）に示すように、使用者は、第１〜第７指圧器具１、３２〜３７上に横向き状態で体を載せて全体重をかける。すると、第１〜第７指圧器具１、３２〜３７の各弾性体４２，５２，６２，７２，８２ａ，８２ｂ，９２ａ，９２ｂにより人体の全身の圧点がより強く押圧される。特に、第１指圧器具１の第１弾性体３により頭部の乳様突起２１０の近傍の局部Ｐ（図５５（ｃ）参照）が強く押圧される。また、第４指圧器具３４の第４弾性体６２により下腿外側部３０９の１点目の圧点（「足の三里（サンリ）のツボ」とも称される。図５５（ｂ）参照；上記非特許文献３のＰ５０、Ｐ９９参照））が強く押圧される。【００９０】
なお、上記第１〜第７指圧器具１、３２〜３７を用いる全身指圧の時には、それぞれの指圧器具１、３２〜３７が第一の狙い目の圧点（ツボ）をしっかり押さえれば、全体の効果はしっかり出る。そして、使用者は、仰向け状態と横向き状態とで心ゆくまでしっかり押圧する。そうすれば、体はおのずと満足して、安眠に入ることとなる。また、時間のある時には、その他のツボも押す。例えば、上記第５指圧器具３５により足裏や足表を押圧してもよい。また、上記第３指圧器具３３上にうつ伏せで載り、ヘソから下の下腹部をゆっくり揺らすように押圧すれば、腸が直接刺激されて便意が出て便秘予防となる。【００９１】
（３）実施例の効果
以上より、本実施例の指圧器具セット３０によると、人体の頭部及び／又は肩部を押圧するための第１指圧器具１と、人体の頭部及び肩部以外の部分を押圧するための他の指圧器具と、を備える。そして、他の指圧器具は、心棒と、心棒に取り付けられる長尺状の一対の弾性体と、を備え、弾性体は、心棒の軸方向に交差して配され且つ心棒の外面に沿って曲げられて心棒に取り付けられており、弾性体の上面は、横断面で上向きに凸となる凸曲面に形成されている。これにより、第１指圧器具１の弾性体３により人体の頭部及び／又は肩部が押圧され、他の指圧器具の弾性体により人体の頭部及び肩部以外の部分が押圧される。特に、他の指圧器具の弾性体の凸曲面により人体の圧点が効果的に押圧される。その結果、人体の頭部及び／又は肩部に加えて、それ以外の部分の疲れやコリが取られ、肩コリをより確実に除去又は緩和することができる。【００９２】
また、本実施例では、他の指圧器具は、人体の背筋部を押圧するための第２指圧器具３２を備える。これにより、第２指圧器具３２の弾性体４２により人体の背筋部（例えば、肩甲下部３０２の１点目の圧点；「胆兪（カンユ）のツボ」とも称される。；図２９参照；上記非特許文献３のＰ８１参照）が押圧される。その結果、人体の頭部及び／又は肩部等に加えて、背筋部の疲れやコリが取られる。このように背筋部のコリを取ることで、内臓が活性化されて便意が出て便秘予防となるとともに、姿勢の悪化（すなわち、背中の曲り、猫背）を防止できる。【００９３】
また、本実施例では、他の指圧器具は、人体の腰部及び／又は臀部を押圧するための第３指圧器具３３を備える。これにより、第３指圧器具３３の弾性体５２により人体の腰部及び／又は臀部（例えば、浪越圧点３０４；図２９参照）が押圧される。その結果、人体の頭部及び／又は肩部等に加えて、腰部及び／又は臀部の疲れやコリが取られる。このように人体の腰部のコリを取ることで、腰痛や姿勢の悪化（すなわち、腰の曲り）を防止できる。【００９４】
また、本実施例では、第２指圧器具３２の第２弾性体４２の長尺長さＬ２は、第３指圧器具３３の第３弾性体５２の長尺長さＬ３より小さな値である。また、第２指圧器具３２の第２弾性体４２の最大横幅Ｗ２は、第３指圧器具３３の第３弾性体５２の最大横幅Ｗ３より小さな値である。さらに、第２指圧器具３２の心棒４１の直径は、第３指圧器具３３の心棒５１の直径より大きな値である。これらにより、第２指圧器具３２の第２弾性体４２により人体の背筋部が強く押圧される一方、第３指圧器具３３の第３弾性体５２により人体の腰部及び／又は臀部が柔らかく押圧される。【００９５】
また、本実施例では、他の指圧器具は、人体の脚部のふくらはぎ部を押圧するための第４指圧器具３４と、人体の脚部のアキレス腱部を押圧するための第５指圧器具３５と、を備える。これにより、第４指圧器具３４の弾性体６２により人体の脚部のふくらはぎ部（例えば、下腿外側部３０９の１点目の圧点；「足の三里（サンリ）のツボ」とも称される。図５５（ｂ）参照；上記非特許文献３のＰ５０、Ｐ９９参照）が押圧され、第５指圧器具３５の弾性体７２により人体のアキレス腱部（例えば、下腿後側部３０８の７点目及び８点目；図２９参照）が押圧される。その結果、人体の頭部及び／又は肩部等に加えて、脚部の疲れやコリが取られる。【００９６】
また、本実施例では、第４指圧器具３４及び第５指圧器具３５のそれぞれは、一対の弾性体６２、７２を２組備える。これにより、左右の脚部を一対の弾性体６２、７２上に載せて挟み込むように押圧できる。その結果、左右の脚部を脱力した状態で指圧器具３４、３５の上に乗せることができ、脚部の各圧点を効果的に押圧できる。【００９７】
ここで、１本の脚を胴体と同じとみなす。胴体も脚も真ん中を背骨及び骨が通っており、骨の両側に筋肉が通っている。この２ツの筋肉をキッチリ押圧するように弾性体６２、７２の幅を設定する。そして、本実施例の第４及び第５指圧器具３４、３５では、２連＋２連の計４連の弾性体６２、７２を備えるので、脚の力は要らず１００％脱力して指圧器具３４、３５の上に脚を乗せられる。これにより、筋肉をキッチリとらえたのと、１００％脱力したのとでより良い指圧効果が出る。【００９８】
また、本実施例では、第４指圧器具３４の第４弾性体６２の最大横幅Ｗ４は、第５指圧器具３５の第５弾性体７２の最大横幅Ｗ５より小さな値である。これにより、第４指圧器具３４の第４弾性体６２により人体の脚部のふくらはぎ部が強く押圧される一方、第５指圧器具３５の第５弾性体７２により人体の脚部のアキレス腱部が柔らかく押圧される。【００９９】
また、本実施例では、他の指圧器具は、人体の左腕部を押圧するための第６指圧器具３６と、人体の右腕部を押圧するための第７指圧器具３７と、を備える。これにより、第６指圧器具３６の弾性体８２ａ，８２ｂにより人体の左腕部（特に、前腕部及び手首部）が押圧され、第７指圧器具３７の弾性体９２ａ，９２ｂにより人体の右腕部（特に、前腕部及び手首部）が押圧される。その結果、人体の頭部及び／又は肩部等に加えて、腕部の疲れやコリが取られる。【０１００】
特に、本実施例の指圧器具セット３０によると、全身を接地の安定した第１〜第７指圧器具１、３２〜３７の上に乗っけて、各指圧器具１、３２〜３７で全身を空中に完全に浮かせる。この状態で、全身に渡る各ツボを押圧する。押圧（指圧）を受ける人は完全に脱力した状態になる。この押圧効果は、心身の健康回復に有効である。すなわち、全身の筋肉の疲労とコリを除去又は緩和するとともに、脱力して、意識がリラックスするので、精神のストレスが軽減される。【０１０１】
ここで、指圧師による指圧では、例えば、図４８に示すように、指圧師は、一方のヒザの支点を軸として、指表面を通して、自分の体重をかけて、被指圧体に対して圧力の強弱を与える。この指圧師による指圧面積は、親指の先端部分であり、比較的小さい。これに対して、本実施例の指圧器具セット３０では、各指圧器具１、３２〜３７に対して、被指圧体の全体重による圧力が分散してかかる（図３０参照）。これら各指圧器具１、３２〜３７の指圧面積は、弾性体の凸面であり、指圧師の親指による指圧面積に比べて大きい。そして、人間が指圧器具１、３２〜３７の上にのる形となるので、強い押圧力が得られ、しかも長時間一定した押圧力が得られる。これに比べ指圧師による指圧は、小さな押圧力で、しかも指圧師が疲れてくるので長時間安定した押圧力の維持は無理である。【０１０２】
そして、本実施例の指圧器具セット３０では、大きな押圧力を得られるため、指圧師と同等の押圧力を得る場合、親指よりも大きな凸面積（すなわち、指圧面積）で押圧できることになる。指圧面積が大きいので、ツボの位置をあまり知らない素人が、アバウトで押圧しても、ツボが指圧面積内に入り易い。その結果、プロの指圧師と同じツボを簡単に押圧できる。すなわち、「素人でも、プロ並みの指圧効果が出せる」指圧器具となった。また、本実施例の指圧器具セット３０では、長時間一定した押圧ができることから、指圧圧力を小さくすることにより、睡眠用の安眠熟睡枕や安眠熟睡ベッドの開発にも応用できる。なお、指圧師は、一日４〜５人を指圧すると、体が疲れてしまうが、本実施例の指圧器具セット３０を指圧師自身の体のケアとして使用できる。【０１０３】
さらに、本実施例の指圧器具セット３０によると、全身を押圧出来るので、「腰痛、腰曲がり、猫背、便秘、脚の疲れ、内臓疲労等、体全体のコリ取りと疲労取り」に効果が、如実に出てくる。また、頭部、肩部、背筋部、腰部、右脚ふくらはぎ部、右脚アキレス腱部、左脚ふくらはぎ部、左脚アキレス腱部、右腕前腕部、右腕手首部、左腕前腕部、と左腕手首部の、合計１２人の指圧師が同時に指圧してくれているのと同じ指圧効果が出る。【０１０４】
なお、マッサージは世界中で、古代からある。これは人類が、全身の筋肉のコリと疲れをなくしたいからである。本実施例の指圧器具セット３０を使用すれば、他人から指圧（マッサージを含む。）を受けなくても、同等もしくはそれ以上の効果を、自分自信で、好きな時間と場所で、自分自身の体のケアができる。【０１０５】
さらに、本実施例の指圧器具セット３０を用いて他人に指圧をサービスする場合、多数の被指圧人を一人で管理できる。また、指圧人は指圧のツボを少し習うことにより、指圧サービスが可能になる。これにより、大幅に、指圧料金が下がる。指圧料金が下がると、指圧をする人が大幅に増える。途上国であっても指圧を受ける機会が増える。そうすると、途上国で指圧の仕事が増え、雇用増加につながり、国民の生活がより良くなり、その国のＧＤＰも上がる。【０１０６】
ここで、「指圧」とは、指で（を通して）圧を加えることである（上記非特許文献１のＰ１５等参照）。また、自己指圧の場合、自己指圧のおしかたのコツは、指先に力を入れずに、体全体のバランスをとり、徐々に圧を入れ、徐々に圧を抜くことである。また、指圧のおしかたは、必ず、皮膚面に垂直におす。さらに、指圧師のおしかたは、指先に力を入れずに、指先を通して、指圧師の体重を応用して、圧を入れる。その圧が、皮膚から筋肉に、気持ちよくじんわりと浸透すると、効果がある。いわゆる、指圧の圧は、体重という「自然力」を応用して、圧を加えることである。【０１０７】
そして、本実施例の指圧器具セット３０では、指圧師の「手の皮膚の柔らかさ」を表現するために、体との接点に、弾性体３、４２、５２、６２、７２、８２ａ、８２ｂ、９２ａ、９２ｂを使っている。また、加える圧の強弱により、弾性体３、４２、５２、６２、７２、８２ａ、８２ｂ、９２ａ、９２ｂの構造を変えることができる。【０１０８】
また、指圧師の体重圧をじんわりと手の皮膚に伝えるためには、指圧師の「指、手首、肘、肩の関節の柔軟性」が指圧の必須条件で、ここに「指圧の真髄」がある。よって、本実施例の第１〜第７指圧器具１、３２〜３７では、「関節の柔軟性」を表現するために、接地するための「脚部８、９、４５、５５、６５、７５、８５、９５」を設け、なおかつ体との接点「押圧部１１〜１４、４４、５４，６４、７４、８４、９４」から接地面の脚部８、９、４５、５５、６５、７５、８５、９５までが、一つの弾性体３、４２、５２、６２、７２、８２ａ、８２ｂ、９２ａ、９２ｂになっている。体重圧を加えることにより、弾性体３、４２、５２、６２、７２、８２ａ、８２ｂ、９２ａ、９２ｂの脚部８、９、４５、５５、６５、７５、８５、９５の構造物全体が変形して、関節の役目を果たす。【０１０９】
また、本実施例の指圧器具セット３０では、指圧師の体重の代わりに、自分自信の「全体重を利用して」指圧器具１、３２〜３７の上に乗っかけて押圧する。全体重を利用できることが、真の自然力の活用になり、真の自然力の活用こそが、指圧の真髄である。なお、良い指圧師とは、自分の体重を１００％活用して、「体重力」により圧力の大小の変化を与えて指圧できることである。【０１１０】
ここで、指圧師の指圧は、被指圧人は薄着１枚になって、寝ている。これは、被指圧人が一切の体の力を抜いて、脱力状態で寝ているために、１００％安定した状態と言える。指圧師は自分の体重圧を１００％活用できる状態になる。これに対して、立ったり、座ったりしている状態は、自分がその姿勢を維持するために力を使っている。こういうのは真の指圧ではなく、按摩、マッサージと呼ばれる。本実施例の指圧器具セット３０によると、使用者は完全に脱力して指圧器具１、３２〜３７の上に乗っかかる。本当の指圧である。また、本実施例の指圧器具セット３０は、「素人が自分の体のツボを探せる道具」でもある。また、第１〜第７指圧器具１、３２〜３７は、体と接する押圧部分が全てＲ曲面になっている。さらに、第１〜第７指圧器具１、３２〜３７は、ＸＹＺ軸方向全てに容易に動き調整できる。体の押圧する部位や、押圧力の強弱を調整できる。【０１１１】
また、指圧のおしかたは、必ず、皮膚面に垂直におす。指圧であるから皮膚の接点は一点である。ツボは点であり、線で押圧しても、ツボが押圧出来ず、指圧効果は出ない。線で押すのはたんなるマッサージしか出来ない。これに対して、本実施例の第１〜第７指圧器具１、３２〜３７は、体との接点部分が、必ずＲ曲面の一点で接しており、力方向は接線に垂直となる。つまり、皮膚に垂直に押している。【０１１２】
また、本実施例の第１〜第７指圧器具１、３２〜３７は、体全体の（殆どの）部位を押圧できる、「セルフケア万能指圧器具」である。【０１１３】
また、本実施例の第１〜第７指圧器具１、３２〜３７は、一対の弾性体３、４２、５２、６２、７２、８２ａ、８２ｂ、９２ａ、９２ｂで出来ており、４本の脚８、９、４５、５５、６５、７５、８５、９５で接地の安定性を保っているために、指圧器具１、３２〜３７は動かず安定して、上述のような使用者自身の体重を利用した押圧の実行を可能にしている。要するに、１００％の体重力の自然力を活用することができる。仮に、体重力の受け手である器具が動いては、体重力を１００％活用出来ない。これは指圧ではない。【０１１４】
また、本実施例の第１指圧器具１では、肩コリの大元である、「乳様突起２１０」周辺の頭部２点と「肩甲上部２０６」周辺の肩部２点の４点を押圧できる事に特化しており、それにより肩こりを画期的に軽減することを目的としたものである。【０１１５】
さらに、本実施例の指圧器具セット３０によると、肉体の健康ばかりでなく、「精神の健康も促進される」：意識をリラックスさせる効果がある。指圧器具１、３２〜３７の上に体を乗っけて、完全に、１００％脱力した状態になる。「脱力すると、意識がリラックスする」。のんびり露天温泉に浸かっている時や、満天の星空に引き込まれる時などのように、意識がリラックスする。日常、意識が緊張の中で生きている人ほど、意識をリラックスさせる時が必要不可欠である。意識の緊張時とリラックス時が２ツあって、始めて精神の健康が保たれる。一日の体の疲れを取り、意識をリラックスできる、本実施例の第１〜第７指圧器具１、３２〜３７（セルフケア万能指圧器具）は、人間の「肉体と精神」の健康な生活にとって、必要品である。【０１１６】
尚、本発明においては、上記実施例に限られず、目的、用途に応じて本発明の範囲内で種々変更した実施例とすることができる。すなわち、上記実施例では、その長尺方向にわたって一様な横幅を有する弾性体３を例示したが、これに限定されず、例えば、図１５に示すように、横幅ｗ１（例えば、５０〜８０ｍｍ）を有する幅広部２４と、この幅広部２４の一端側に連なり且つ幅広部３の横幅より小さな横幅ｗ２（例えば、４０〜６０ｍｍ）を有する幅狭部２５と、を備える弾性体３’を採用してもよい。この弾性体３’を用いた指圧器具１によると、幅広部２４に設けられた第１押圧部１１及び第４押圧部１４で頭部や乳様突起の近傍の局部Ｐを比較的柔らかく押圧できるとともに、幅狭部２５に設けられた第２押圧部１２及び第３押圧部１３で肩甲間部２０２や肩甲上部２０６を比較的強く押圧することができる。【０１１７】
また、上記実施例では、第１押圧部１１の裏面側にリブ１７を設け、このリブ１７の下面を第１テーパ面２１としてなる弾性体３を例示したが、これに限定されず、例えば、図１６に示すように、第１押圧部１１の裏面側に、第１押圧部１１の幅方向の略全長にわたって延びる第１テーパ面２１’を形成してなる弾性体３"を採用してもよい。【０１１８】
また、上記実施例では、その縦断面における表面縁が略曲線状である第２押圧部１２を例示したが、これに限定されず、例えば、その縦断面における表面縁が略直線状である第２押圧部としてもよい。【０１１９】
また、上記実施例では、その縦断面における表面縁が略直線状である第３押圧部１３を例示したが、これに限定されず、例えば、その縦断面における表面縁が略曲面状である第３押圧部としてもよい。【０１２０】
また、上記実施例では、非弾性変形状態においてその縦断面における表面縁が略直線状である第１押圧部１１、第４押圧部１４及び支持部１５を例示したが、これに限定されず、例えば、非弾性変形状態においてその縦断面における表面縁が略曲面状である第１押圧部、第４押圧部及び支持部としてもよい。【０１２１】
また、上記実施例では、指圧器具１を設置面に置いたときに直立状態となる支持部１５を例示したが、これに限定されず、例えば、指圧器具を設置面に置いたときに垂線に対して傾斜状態となる支持部としてもよい。【０１２２】
また、上記実施例では、平面状のテーパ面２１、２１’、２２を例示したが、これに限定されず、例えば、曲面状のテーパ面としてもよい。【０１２３】
また、上記実施例では、弾性体３、３’、３"に対する無負荷状態で心棒２の外周面に接するテーパ面２１、２１’、２２を例示したが、これに限定されず、例えば、弾性体３、３’、３"に対する無負荷状態で心棒２の外周面に対向するとともに、弾性体３、３’、３"に対して負荷をかけたとき（すなわち、弾性体に頭部や肩部をのせたとき）に心棒２の外周面に接するテーパ面としてもよい。【０１２４】
また、上記実施例における心棒２、４１、５１、６１、７１、８１、９１の材質、形状等は、弾性体の押圧力の強弱に応じて適宜選択できる。この心棒２、４１…の材質としては、例えば、木、樹脂、ゴム、エラストマ、発泡体、金属等を挙げることができる。また、心棒２、４１…の形状としては、例えば、縦断面円形、縦断面楕円径、縦断面多角形、縦断面異形等を挙げることができる。この心棒２、４１…は、横断面で少なくとも上面部が上向きに凸となる凸曲面に形成されていればよい。【０１２５】
また、上記実施例における弾性体３、４２、５２、６２、７２、８２ａ、８２ｂ、９２ａ、９２ｂの材質、形状等は、弾性体の押圧力の強弱に応じて適宜選択できる。この弾性体３、４２…の材質としては、例えば、ゴム、エラストマ、発泡体等を挙げることができる。また、弾性体３、４２…の形状としては、例えば、湾曲部及び／又は屈曲部を有する長尺状、略直線状に延びる長尺状等を挙げることができる。さらに、弾性体３、４２…の硬度（例えば、ゴム硬度）としては、例えば、５０〜７５°（好ましくは５５〜７０°）であることができる。この硬度は、新ＪＩＳ規格Ｋ６２３５に準じて測定し、硬度計には、タイプＡデュロメータを用いる。【０１２６】
さらに、上記実施例における指圧器具１による押圧部位、順序等は特に問わない。この指圧器具１による押圧部位としては、人体の頭部、肩甲間部、肩甲上部、乳様突起の近傍の局部、後頸部、側頸部、腰部、臀部、脚部、腕部等を挙げることができる。【０１２７】
また、上記実施例では、他の指圧器具として第２〜第７指圧器具３２〜３７を備える指圧器具セット３０を例示したが、これに限定されず、例えば、他の指圧器具として、第２〜第７指圧器具３２〜３７の全てを備えずに第２〜第７指圧器具３２〜３７のうちの少なくとも１種の指圧器具を備える指圧器具セットとしてもよい。さらに、他の指圧器具として、第２〜第７指圧器具３２〜３７に加えて更に別の指圧器具を備える指圧器具セットとしてもよい。【０１２８】
また、上記実施例では、第１〜第７指圧器具１、３２〜３７を所定順序で配置する形態を例示したが、これに限定されず、第１〜第７指圧器具１、３２〜３７の配置順は特に問わない。【０１２９】
また、上記実施例では、単一の第６指圧器具３６（又は第７指圧器具３７）を備える指圧器具セット３０を例示したが、これに限定されず、例えば、図３２（ｂ）に示すように、複数（図中２つ）の第６指圧器具３６（又は第７指圧器具３７）を備える指圧器具セットとしてもよい。【０１３０】
また、上記実施例では、中実状の弾性体４２、５２、６２、７２、８２ａ、８２ｂ、９２ａ、９２ｂを備える指圧器具３２〜３７を例示したが、これに限定されず、例えば、図３３及び図３４に示すように、その裏面側に長尺方向に沿って凹部１１１ａが形成された中空状の弾性体１１１を備える指圧器具１１２としてもよい。【０１３１】
さらに、上記実施例では、横断面半円形状の弾性体４２、５２、６２、７２、８２ａ、８２ｂ、９２ａ、９２ｂを備える指圧器具３２〜３７を例示したが、これに限定されず、例えば、図３５及び図３６に示すように、上面側が上向きに凸となる凸曲面に形成された縦断面矩形状の弾性体１１３を備える指圧器具１１４としてもよい。【０１３２】
さらに、上記実施例では、弾性体３に形成された溝部４に紐５を挿通させつつ心棒２及び弾性体３に巻き付けることで両者２、３を一体的に結合してなる指圧器具１（図１〜図３参照）を例示したが、これに限定されず、例えば、図３７〜図３９に示すように、紐５Ａを心棒２及びに弾性体３Ａ（特に第１押圧部１１及び第４押圧部１４）に交差状に巻き付けるとともに、弾性体の脚部８、９に形成された環状の溝部８ａ、９ａに環状の紐５Ｂを巻き付けることで、心棒２及び弾性体３Ａを一体的に結合してなる指圧器具１Ａとしてもよい。これにより、紐５Ａにより心棒２及び弾性体３Ａが強固に一体的に結合されるとともに、紐５Ｂにより両脚部８、９が互いに離れて姿勢が崩れてしまうことが抑制される。さらに、溝部８ａにより支持部１５が弾性変形し易くなり、第１押圧部１１で乳様突起の近傍の局部Ｐを更に的確にとらえて更に適切な押圧力で押圧できる。なお、上記紐５Ｂは、交差する環状紐であってもよいし、交差しない環状紐であってもよい。さらに、図３７〜図３９に示す上記指圧器具１Ａにおいて、上記指圧器具１と略同じ構成部位には同じ符号を付けるものとする。【０１３３】
また、例えば、図４０及び図４１に示すように、上述の指圧器具１、１Ａの紐５、５Ａ、５Ｂの縛り付け形態を組み合わせるようにしてもよい。具体的に、先ず、第１紐５を心棒２及び弾性体３Ｂに縛り付け（図４１（ａ））、次に、第２紐５Ａを心棒２及びに弾性体３Ｂに交差状に巻き付け（図４１（ｂ））、次いで、弾性体の脚部８、９に形成された環状の溝部８ａ、９ａに第３紐５Ｂを巻き付け（図４１（ｃ））、心棒２及び弾性体３Ｂを一体的に結合してなる指圧器具１Ｂを得ることができる。本指圧器具１Ｂによると、上述の指圧器具１、１Ａと略同様の作用・効果を奏するとともに、第１紐５により第１押圧部１１及び第４押圧部１４が心棒２の表面に隙間無く接して仮付けされるので、その後の第２及び第３紐５Ａ、５Ｂによる組み付け作業を容易に行うことができる。【０１３４】
上記実施例では、人体の前腕部を押圧するための第６及び第７指圧器具３６、３７（図２９参照）を例示したが、これに限定されず、例えば、図４２及び図４３に示すように、前腕における上腕との連絡部を押圧するための指圧器具３６’、３７’としたり、上腕における肩部との連絡部及び／又は脇下部を押圧するための指圧器具３６"、３７"としたりしてもよい。なお、上記指圧器具３６’、３７’としては、例えば、第４指圧器具３４で用いた一対の弾性体６２（図２２及び図２３参照）を心棒２（直径４０ｍｍ、軸長さ２５０ｍｍ）に所定狭角（所定鋭角）で巻き付けたものを採用できる。また、上記指圧器具３６"、３７"としては、例えば、第５指圧器具３５で用いた一対の弾性体７２（図２４及び図２５参照）を心棒２（直径４０ｍｍ、軸長さ２５０ｍｍ）に所定狭角（所定鋭角）で巻き付けたものを採用できる。【０１３５】
さらに、変形例に係る指圧器具セットとして、例えば、図４４及び図４５に示すように、人体の頭部及び／又は肩部を押圧するための上述の第１指圧器具１（図１参照）と、人体の左右の肩部３００（特に、肩甲骨２００部を含む肩部３００；図４５（ｂ）参照）を押圧するための左右の肩用指圧器具４０１と、を備える指圧器具セット４００を採用してもよい。なお、上記肩用指圧器具４０１としては、例えば、第５指圧器具３５で用いた一対の弾性体７２（図２４及び図２５参照）を心棒２（直径４０ｍｍ、軸長さ２５０ｍｍ）に所定挟角（所定鋭角）で巻き付けたものを採用できる。【０１３６】
上記指圧器具セット４００では、例えば、図４５に示すように、第１指圧器具１を使用者（被指圧人）の頭部が乗るように床面等の設置面の第１所定位置Ｐ１に配置するとともに、左右の肩用指圧器具４０１を使用者の肩部が乗るように設置面の左右の第２所定位置Ｐ２に配置する。このとき、第１指圧器具１の心棒２の軸心と肩用指圧器具４０１の心棒２の軸心とのなす角度θ４（図４５（ｂ）参照）は、例えば、３５〜５５°（好ましくは４０〜５０°）とされる。【０１３７】
そして、図４６（ａ）に示すように、使用者が、第１指圧器具１及び左右の肩用指圧器具４０１に対して仰向け状態で頭部及び肩部を載せる。すると、第１指圧器具１により頭部の圧点が押圧されるとともに、左右の肩用指圧器具４０１により左右の肩部の圧点が押圧される。一方、図４６（ｂ）に示すように、使用者が、第１指圧器具１及び一方の肩用指圧器具４０１に対して横向き状態で頭部及び肩部を載せる。すると、第１指圧器具１により頭部の圧点が押圧されるとともに、一方の肩用指圧器具４０１により一方の肩部の圧点が比較的強く押圧される。以上より、使用者は、仰向け状態と横向き状態とで心ゆくまでしっかり押圧することで、安眠に入ることとなる。すなわち、第１指圧器具１及び左右の肩用指圧器具４０１の組み合わせを、安眠・熟睡用枕として長時間使用することができる。【０１３８】
また、上記実施例では、人体の腰部及び／又は臀部を押圧するための単一の第３指圧器具３３（図３０参照）を例示したが、これに限定されず、例えば、図４７に示すように、一対の指圧器具３３’、３３’を腰部及び／又は臀部に沿って並設して第３指圧器具としてもよい。この場合、一対の指圧器具３３’、３３’の心棒５１’及び／又は弾性体５３’の間を紐等の連結材で結んで両者３３’、３３’を連結することで、間隔を一定として一対の指圧器具３３’、３３’を並設することができる。【０１３９】
さらに、その他の変形例に係る指圧器具セットとして、例えば、図４９及び図５０に示すように、人体の腰部及び／又は臀部を押圧するための第３指圧器具として、中央指圧器具４０４及び左右の横指圧器具４０５を備える指圧器具セット４０３を採用してもよい。この場合、中央指圧器具４０４は、その心棒４０４ａの軸心が第１指圧器具１の心棒２の軸心に対して略平行となるように配されている（図４９参照）。また、左右の横指圧器具４０５は、その心棒４０５ａの軸心が第１指圧器具１の軸心（すなわち、中央指圧器具４０４の心棒４０４ａの軸心）に対して所定の傾斜角θ５（例えば、約４５度）で傾斜するように配されている（図４９参照）。これにより、左右の横指圧器具４０５の一方の弾性体で腎兪４０７、志室４０８のツボを含む腰部や仙骨部が押圧されるとともに、他方の弾性体で浪越圧点３０４を含む腰部が押圧される（図５０参照）。また、中央指圧器具４０４により腰部の人体の下方へのズレが防止される。よって、安定的に腰部及び／又は臀部の疲れやコリを取ることができ、腰痛や姿勢の悪化（すなわち、腰の曲り）をより確実に防止できる。【０１４０】
なお、本指圧器具セット４０３では、人体の腕部を押圧するための第６及び第７指圧器具として、上述の指圧器具３６’、３６"、３７’、３７"を採用するとともに、人体の肩部を押圧するための上述の左右の肩用指圧器具４０１を備える構成としている。また、中央指圧器具４０４としては、例えば、第５指圧器具３５で用いた一対の弾性体７２（図２４及び図２５参照）を心棒４０４ａ（直径４０ｍｍ、軸長さ２５０ｍｍ）に所定広角（所定鈍角）で巻き付けたものを採用できる。また、左右の横指圧器具４０５としては、例えば、第５指圧器具３５で用いた一対の弾性体７２（図２４及び図２５参照）を心棒４０５ａ（直径４０ｍｍ、軸長さ２５０ｍｍ）に所定狭角（所定鋭角）で巻き付けたものを採用できる。【０１４１】
上記指圧器具セット４０３を安眠・睡眠用として使用する場合には、例えば、図５１及び図５２に示すように、人体の腕部を押圧するための指圧器具３６’、３６"、３７’、３７"、人体の背筋部を押圧するための指圧器具３２、並びに中央指圧器具４０４を指圧時のセット位置から取り除き、使用者が横向き状態で脚部や腕部を押圧する適切な位置にセットしておく（図５１参照）。さらに、左右の横指圧器具４０５の左右間隔を指圧時に比べて若干広げておく。【０１４２】
上述の状態で、図５２に示すように、仰向け状態で使用者は、第１指圧器具１及び左右の肩用指圧器具４０１に頭部及び肩部を載せ、左右の横指圧器具４０５の間に腰部を入れ、指圧器具３４、３５に脚部を載せる。すると、第１指圧器具１により頭部の圧点が押圧され、左右の肩用指圧器具４０１により左右の肩部の圧点が押圧され、左右の横指圧器具４０４により腰部の圧点が押圧され、指圧器具３４、３５により脚部の圧点が押圧される。【０１４３】
一方、図５３に示すように、横向き状態で使用者は、第１指圧器具１及び一方の肩用指圧器具４０１に対して頭部及び肩部を載せ、一方の横指圧器具４０５に下腹部を載せ他方の横指圧器具４０５に腰部を載せる。さらに、指圧器具３６’（又は３７’）に手首部を載せ指圧器具３２、４０４（又は３６"、３７"）に脚部を載せる。すると、第１指圧器具１により頭部の圧点が押圧され、左右の肩用指圧器具４０１により左右の肩部の圧点が押圧され、一方の横指圧器具４０５により下腹部の圧点が押圧され他方の横指圧器具４０５により腰部の圧点が押圧される。さらに、指圧器具３６’により手首部の圧点が押圧され、指圧器具３２、４０４により脚部の圧点が押圧される。よって、使用者は、仰向け状態と横向き状態とで心ゆくまでしっかり押圧することで、安眠に入ることとなる。すなわち、第１指圧器具１及び左右の横指圧器具４０５の組み合わせを、安眠・熟睡用枕として長時間使用することができる。なお、一方の横指圧器具４０５で下腹部を押圧することで、腸が直接刺激されて便意が出て便秘予防となる。【０１４４】
以上より、本実施例の指圧器具セット４０３によると、第３指圧器具は、左右の横指圧器具４０５を備え、横指圧器具４０５は、横指圧器具４０５の心棒４０５ａの軸心が第１指圧器具１の心棒２の軸心に対して傾斜するように配される。これにより、左右の横指圧器具４０５により人体の腰部及び／又は臀部（特に、腎兪４０７、志室４０８のツボを含む腰部や仙骨部、浪越圧点３０４を含む腰部）が押圧される。よって、腰痛や姿勢の悪化（すなわち、腰の曲り）をより確実に防止できる。また、これら第１指圧器具１及び左右の横指圧器具４０５の組み合わせを、安眠・熟睡用として長時間使用することができる。【０１４５】
さらに、本実施例の指圧器具セット４０３によると、第３指圧器具は、中央指圧器具４０４を備え、中央指圧器具４０４は、中央指圧器具４０４の心棒４０４ａの軸心が第１指圧器具１の心棒２の軸心に対して平行となるように配される。これにより、中央指圧器具４０４により腰部及び／又は臀部のズレが防止される。よって、安定的に、左右の横指圧器具４０５及び中央指圧器具４０４で腰部及び／又は臀部の疲れやコリを取ることができる。【０１４６】
なお、上述した実施形態、実施例及び変形例等は、目的、用途に応じて組み合わせて使用することができる。【０１４７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。【０１４８】
本発明は上記で詳述した実施形態に限定されず、本発明の請求項に示した範囲で様々な変形または変更が可能である。
【産業上の利用可能性】
【０１４９】
人体の局部を押圧する指圧器具として広く利用される。
【図１】
2015076011.tif 000003
【図２】
2015076011.tif 000004
【図３】
2015076011.tif 000005
【図４】
2015076011.tif 000006
【図５】
2015076011.tif 000007
【図６】
2015076011.tif 000008
【図７】
2015076011.tif 000009
【図８】
2015076011.tif 000010
【図９】
2015076011.tif 000011
【図１０】
2015076011.tif 000012
【図１１】
2015076011.tif 000013
【図１２】
2015076011.tif 000014
【図１３】
2015076011.tif 000015
【図１４】
2015076011.tif 000016
【図１５】
2015076011.tif 000017
【図１６】
2015076011.tif 000018
【図１７】
2015076011.tif 000019
【図１８】
2015076011.tif 000020
【図１９】
2015076011.tif 000021
【図２０】
2015076011.tif 000022
【図２１】
2015076011.tif 000023
【図２２】
2015076011.tif 000024
【図２３】
2015076011.tif 000025
【図２４】
2015076011.tif 000026
【図２５】
2015076011.tif 000027
【図２６】
2015076011.tif 000028
【図２７】
2015076011.tif 000029
【図２８】
2015076011.tif 000030
【図２９】
2015076011.tif 000031
【図３０】
2015076011.tif 000032
【図３１】
2015076011.tif 000033
【図３２】
2015076011.tif 000034
【図３３】
2015076011.tif 000035
【図３４】
2015076011.tif 000036
【図３５】
2015076011.tif 000037
【図３６】
2015076011.tif 000038
【図３７】
2015076011.tif 000039
【図３８】
2015076011.tif 000040
【図３９】
2015076011.tif 000041
【図４０】
2015076011.tif 000042
【図４１】
2015076011.tif 000043
【図４２】
2015076011.tif 000044
【図４３】
2015076011.tif 000045
【図４４】
2015076011.tif 000046
【図４５】
2015076011.tif 000047
【図４６】
2015076011.tif 000048
【図４７】
2015076011.tif 000049
【図４８】
2015076011.tif 000050
【図４９】
2015076011.tif 000051
【図５０】
2015076011.tif 000052
【図５１】
2015076011.tif 000053
【図５２】
2015076011.tif 000054
【図５３】
2015076011.tif 000055
【図５４】
2015076011.tif 000056
【図５５】
2015076011.tif 000057
【図５６】
2015076011.tif 000058
【図５７】
2015076011.tif 000059
【国際調査報告】
2015076011.tif 000060
2015076011.tif 000061
2015076011.tif 000062
2015076011.tif 000063